(57)【特許請求の範囲】
【請求項１】
対象物に対してレーザー光による基準線を投射するレーザー墨出し器であって、
前記レーザー光を生成するレーザー光生成部と、
鉛直方向に延びる中心軸を中心として軸線方向に延びる柱状に形成されるハウジングであって、前記レーザー光生成部を内部に収容するとともに、前記レーザー光を内部から外部に向けて通過させるレーザー光通過部を備えるハウジングと、
前記レーザー光生成部に電力供給するためのバッテリパックであって充放電可能なバッテリパックを装着するように構成されたパック装着部と、
を備え、
前記パック装着部は、前記ハウジングの側面に形成されており、前記側面に対して平行に形成されるスライドレールを備えるとともに、前記バッテリパックを前記スライドレールに沿ってスライドさせることで前記バッテリパックを着脱するように構成されている、
レーザー墨出し器。
【請求項２】
前記バッテリパックは、前記パック装着部に装着した状態において、鉛直方向最大寸法が水平方向最大寸法よりも小さい形状である、
請求項１に記載のレーザー墨出し器。
【請求項３】
前記パック装着部は、前記スライドレールが水平方向に対して平行に形成されている、
請求項１または請求項２に記載のレーザー墨出し器。
【請求項４】
前記ハウジングは、
当該レーザー墨出し器の設置場所に当接するベース部と、
前記レーザー光生成部を内部に収容し、前記レーザー光通過部を備えるとともに、鉛直方向に延びる中心軸を中心として回転可能な状態で前記ベース部の上側に固定される回転部と、
を備えており、
前記パック装着部は、前記回転部の側面に形成される、
請求項１から請求項３のうちいずれか一項に記載のレーザー墨出し器。
【請求項５】
前記ハウジングは、
当該レーザー墨出し器の設置場所に当接するベース部と、
前記レーザー光通過部を備えるとともに、鉛直方向に延びる中心軸を中心として回転可能な状態で前記ベース部の上側に固定される回転部と、
を備えており、
前記パック装着部は、前記ベース部の側面に形成される、
請求項１から請求項３のうちいずれか一項に記載のレーザー墨出し器。
【請求項６】
前記ハウジングは、外部からの無線による指令信号を受信する信号受信部を備えており、
前記パック装着部は、自身の最下部が前記信号受信部の最上部よりも高い位置に配置される、
請求項１から請求項５のうちいずれか一項に記載のレーザー墨出し器。
【請求項７】
前記レーザー光生成部は、前記レーザー光を射出するレーザー光射出部と、前記レーザー光射出部での前記レーザー光の射出状態を制御する射出制御部と、を備えており、
前記スライドレールに平行かつ前記中心軸を含む仮想平面により、当該レーザー墨出し器を、前記パック装着部が含まれる第１領域と、前記パック装着部が含まれない第２領域と、に分けた場合に、前記射出制御部のうち少なくとも一部は前記第２領域に配置される
、
請求項１から請求項６のうちいずれか１項に記載のレーザー墨出し器。
【請求項８】
前記レーザー光生成部に対して電力供給する外部電源に接続される外部電源接続部を備える、
請求項１から請求項７のうちいずれか１項に記載のレーザー墨出し器。
【請求項９】
前記外部電源接続部は、前記外部電源として、出力電圧が４．５〜５．５Ｖの範囲に含まれる外部電源に接続される、
請求項８に記載のレーザー墨出し器。
【請求項１０】
前記バッテリパックから受電した電圧を前記レーザー光生成部に適した電圧値に変換するパック電圧変換部と、
前記外部電源接続部により前記外部電源から受電した電圧を前記レーザー光生成部に適した電圧値に変換する外部電圧変換部と、
を備える請求項８または請求項９に記載のレーザー墨出し器。
【請求項１１】
前記レーザー光生成部は、前記レーザー光として緑色のレーザー光を生成する、
請求項１から請求項１０のいずれか一項に記載のレーザー墨出し器。
【請求項１２】
当該レーザー墨出し器の設置場所に当接するために、前記ハウジングの底部に設けられる脚部と、
前記ハウジングから延設される補助支持部と、
を備えており、
前記補助支持部は、前記ハウジングの前記中心軸の上側から平面視した場合において、自身の先端に接地部を備えるとともに、前記接地部のうち少なくとも一部と前記中心軸とを結ぶ仮想線分が前記パック装着部と交差するように、前記接地部が配置される構成であり、
前記補助支持部の前記接地部は、前記パック装着部よりも低い領域に配置されるとともに、前記脚部に当接する地面を延長した仮想地面に対して隙間を介して配置される、
請求項１から請求項１１に記載のレーザー墨出し器。
【発明の詳細な説明】
【技術分野】
【０００１】
本発明は、土木、建築工事等に用いられ、対象物に対してレーザー光による基準線を投射するレーザー墨出し器に関する。
【背景技術】
【０００２】
土木、建築工事等に用いられるレーザー墨出し器として、電源に乾電池を用いるものが知られている。このレーザー墨出し器は、乾電池からの電力供給によりレーザー光を生成し、対象物に対してレーザー光による基準線を投射する。
【０００３】
なお、電源として乾電池を用いる場合、乾電池は一次電池であり充電が不可能であるため、レーザー墨出し器の使用に伴い乾電池が放電すると、新しい乾電池に交換する必要がある。このような交換が繰り返されると、捨てられる乾電池の数量が増大するため、資源の無駄遣いが助長される虞がある。
【０００４】
これに対して、乾電池に代えて充放電可能な二次電池としてのバッテリパックを用いるレーザー墨出し器が提案されている（特許文献１）。このような充放電可能なバッテリパックは、レーザー墨出し器の使用に伴い放電して電力供給が不可能となった場合でも、充電することにより再利用が可能となる。つまり、電源として充放電可能なバッテリパックを用いることで、充電による再利用が可能であるため、一次電池（乾電池）を用いる場合に比べて、資源の無駄遣いを低減できる。
【０００５】
なお、特許文献１に記載のレーザー墨出し器は、バッテリパックの着脱方式として、レーザー墨出し器の外表面に対する垂直な方向にバッテリパックを移動させて着脱する方式（以下、差し込み方式ともいう）を採用している。
【先行技術文献】
【特許文献】
【０００６】
【特許文献１】米国特許第６９１５５８３号明細書
【発明の概要】
【発明が解決しようとする課題】
【０００７】
しかし、バッテリパックの着脱方式として「差し込み方式」を採用した場合、レーザー墨出し器の内部におけるバッテリパックの占有領域が大きくなり、内部に収容される各構成（レーザー光生成部など）の配置領域が相対的に小さくなる。このため、レーザー墨出し器の内部における各構成要素の配置の自由度が低下するという問題がある。
【０００８】
そこで、本発明は、資源の無駄遣いを低減しつつ、内部に収容される各構成要素における配置の自由度が低下しがたいレーザー墨出し器を提供することを目的とする。
【課題を解決するための手段】
【０００９】
本発明の１つの局面におけるレーザー墨出し器は、対象物に対してレーザー光による基準線を投射するレーザー墨出し器であって、レーザー光生成部と、ハウジングと、パック装着部と、を備えている。
【００１０】
レーザー光生成部は、レーザー光を生成する。ハウジングは、鉛直方向に延びる中心軸を中心として軸線方向に延びる柱状に形成されており、レーザー光生成部を内部に収容するとともに、レーザー光を内部から外部に向けて通過させるレーザー光通過部を備える。
【００１１】
パック装着部は、レーザー光生成部に電力供給するためのバッテリパックであって充放電可能なバッテリパックを装着するように構成されている。
そして、パック装着部は、ハウジングの側面に形成されており、側面に対して平行に形成されるスライドレールを備える。また、パック装着部は、バッテリパックをスライドレールに沿ってスライドさせることでバッテリパックを着脱するように構成されている。
【００１２】
このように、ハウジングの側面に対して平行にバッテリパックをスライドさせてバッテリパックを着脱する方式は、ハウジングの外表面に対する垂直な方向にバッテリパックを移動させて着脱する方式（差し込み方式）に比べて、バッテリパックをハウジングの中心位置から離れた領域に配置できる。
【００１３】
これにより、ハウジングの内部領域におけるレーザー光生成部の配置領域に対するバッテリパックの配置領域の影響を小さくすることができる。つまり、レーザー墨出し器の内部におけるバッテリパックの占有領域が大きくなることを抑制でき、レーザー墨出し器の内部における各構成要素の配置の自由度が低下するのを抑制できる。
【００１４】
そして、このレーザー墨出し器は、パック装着部が充放電可能なバッテリパックを装着できる構成であることから、充電によりバッテリパックを繰り返し使用できるため、一次電池（乾電池など）を用いる場合に比べて、資源の無駄遣いを低減できる。
【００１５】
よって、このレーザー墨出し器によれば、資源の無駄遣いを低減しつつ、内部に収容される各構成要素における配置の自由度が低下しがたいレーザー墨出し器を提供できる。
また、このような構成のレーザー墨出し器は、既存のレーザー墨出し器を基に設計変更して実現する場合には、内部に収容される各構成要素（レーザー光生成部など）の配置領域を大幅に変更することなく、バッテリパックを装着することが可能となる。
【００１６】
次に、上述のレーザー墨出し器においては、バッテリパックは、パック装着部に装着した状態において、鉛直方向最大寸法が水平方向最大寸法よりも小さい形状であってもよい。
【００１７】
このような形状のバッテリパックは、鉛直方向最大寸法が水平方向最大寸法よりも大きい形状のバッテリパックに比べて、パック装着部に装着した状態での鉛直方向寸法（高さ寸法）を小さくすることができる。
【００１８】
これにより、レーザー墨出し器の全体として鉛直方向寸法（高さ寸法）が大きくなることを抑制でき、高さ寸法の増加に伴う転倒のリスクを低減できる。
次に、上述のレーザー墨出し器においては、パック装着部は、スライドレールが水平方向に対して平行に形成されていてもよい。
【００１９】
このようなスライドレールを備えることで、バッテリパックの着脱時におけるバッテリパックの移動方向は水平方向となり、鉛直方向の移動は無くなる。この場合、バッテリパックの着脱時において、ハウジングの外表面のうちパック装着部よりも上側領域および下側領域がバッテリパックと干渉するのを抑制できるとともに、干渉に伴う破損が生じることを抑制できる。
【００２０】
とりわけ、レーザー光通過部がパック装着部の上側領域または下側領域に配置される構成においては、レーザー光通過部の破損を抑制できるため、適切にレーザー光を対象物に投射することができる。
【００２１】
なお、バッテリパックは、パック装着部に装着した状態において、鉛直方向最大寸法が水平方向最大寸法よりも小さい形状であり、かつ、パック装着部は、スライドレールが水平方向に対して平行に形成されている、という構成としてもよい。このような構成を採ることで、スライドレールどうしの間隔寸法を小さくすることができ、レーザー墨出し器の高さ寸法が大きくなるのを抑制できる。
【００２２】
次に、上述のレーザー墨出し器においては、ハウジングは、ベース部と回転部とを備えており、パック装着部は、回転部の側面に形成される構成であってもよい。
ベース部は、レーザー墨出し器の設置場所に当接する。回転部は、レーザー光生成部を内部に収容し、レーザー光通過部を備えるとともに、鉛直方向に延びる中心軸を中心として回転可能な状態でベース部の上側に固定される。
【００２３】
このように、ハウジングがベース部と回転部とを備えて構成されることで、回転部の回転によりレーザー光の投射方向を容易に調整することができる。
また、パック装着部が回転部の側面に形成される構成を採ることで、バッテリパックからレーザー光生成部に至る通電経路を、ベース部および回転部の両者に跨るように配置する必要が無くなる。これにより、回転により相対位置が変化する箇所に通電経路を設ける必要が無くなり、通電経路が複雑化するのを抑制できる。
【００２４】
あるいは、上述のレーザー墨出し器においては、ハウジングは、ベース部と回転部とを備えており、パック装着部は、ベース部の側面に形成される構成であってもよい。
ベース部は、レーザー墨出し器の設置場所に当接する。回転部は、レーザー光通過部を備えるとともに、鉛直方向に延びる中心軸を中心として回転可能な状態でベース部の上側に固定される。
【００２５】
このように、ハウジングがベース部と回転部とを備えて構成されることで、回転部の回転によりレーザー光の投射方向を容易に調整することができる。
また、パック装着部がベース部の側面に形成される構成を採ることで、レーザー墨出し器の構成要素のうち相対的に重量の大きいバッテリパックの設置位置が低くなり、レーザー墨出し器の重心が低くなるため、転倒のリスクを低減できる。
【００２６】
なお、レーザー光生成部は、全体が回転部に収容される構成であってもよく、あるいは、レーザー光生成部の一部が回転部に収容されるとともにその他がベース部に収容される構成であってもよい。
【００２７】
次に、パック装着部がベース部の側面に形成される構成のレーザー墨出し器においては、ハウジングは、外部からの無線による指令信号を受信する信号受信部を備えており、パック装着部は、自身の最下部が信号受信部の最上部よりも高い位置に配置される構成であってもよい。
【００２８】
これにより、外部からの無線による指令信号がバッテリパックによって遮られることを抑制でき、信号受信部において指令信号を適切に受信できる。
なお、指令信号としては、例えば、レーザー光の射出状態（レーザー輝度、射出方向など）に関する指令情報を含んだ指令信号が挙げられる。また、無線による指令信号としては、赤外線通信に用いられる信号やBlueTooth（登録商標）通信に用いられる信号などが挙げられる。
【００２９】
次に、上述のレーザー墨出し器においては、レーザー光生成部は、レーザー光射出部と、射出制御部と、を備えており、スライドレールに平行かつ中心軸を含む仮想平面により、当該レーザー墨出し器を、パック装着部が含まれる第１領域と、パック装着部が含まれ
ない第２領域と、に分けた場合に、射出制御部のうち少なくとも一部は第２領域に配置される構成であってもよい。
【００３０】
レーザー光射出部は、レーザー光を射出する。射出制御部は、レーザー光射出部でのレーザー光の射出状態を制御する。
また、第１領域は、パック装着部が備えられることから、バッテリパックが配置されることになる。バッテリパックは、レーザー墨出し器の構成要素のうち相対的に重量の大きい構成要素であり、上記の第１領域に配置されることとなる。
【００３１】
このように、仮想平面で分けられた２つの領域（第１領域、第２領域）において、射出制御部のうち少なくとも一部をパック装着部（バッテリパック）とは異なる領域に配置することで、パック装着部（バッテリパック）および射出制御部の全体を同一領域に配置する場合に比べて、レーザー墨出し器における重心を中心軸に近づけることができる。
【００３２】
これにより、レーザー墨出し器における重心がバッテリパック側に偏るのを抑制でき、転倒のリスクを抑制できる。
なお、射出制御部は、１つの部材として備えられる形態のみならず、複数の部材に分散して備えられる形態を採ることができる。射出制御部が１つの部材として備えられる形態である場合には、射出制御部が第１領域と第２領域とに跨る状態で配置されることで、射出制御部のうち少なくとも一部が第２領域に配置される状態とすることができる。また、射出制御部が複数の部材に分散して備えられる形態である場合には、複数の部材のうち少なくとも一部の部材が第２領域に配置されることで、射出制御部のうち少なくとも一部が第２領域に配置される状態とすることができる。
【００３３】
さらに、上述のレーザー墨出し器は、射出制御部のうち一部ではなく射出制御部の全体が第２領域に配置される構成であってもよい。この構成であれば、より重量の大きいバッテリパックを用いる場合においても、レーザー墨出し器における重心がバッテリパック側に偏るのを抑制でき、転倒のリスクを抑制できる。
【００３４】
次に、上述のレーザー墨出し器は、レーザー光生成部に対して電力供給する外部電源に接続される外部電源接続部を備えてもよい。
このような外部電源接続部を備えることで、レーザー墨出し器は、バッテリパックとは別の外部電源からの電力を受電することが可能となる。これにより、レーザー墨出し器は、バッテリパックの状態が「残りの充電量が零の状態」あるいは「故障状態」となった場合でも、外部電源からの電力供給によりレーザー光の射出が可能となる。
【００３５】
次に、外部電源接続部を備えるレーザー墨出し器においては、外部電源接続部は、外部電源として、出力電圧が４．５〜５．５Ｖの範囲に含まれる外部電源に接続される構成であってもよい。
【００３６】
出力電圧が上記範囲となるよう構成された外部電源は、汎用品として広く流通しており、そのような外部電源は容易に入手可能である。これにより、バッテリパックの状態が「残りの充電量が零の状態」あるいは「故障状態」となったときでも、外部電源からの電力供給によりレーザー光の射出が可能となる。
【００３７】
次に、上述の外部電源接続部を備えるレーザー墨出し器は、バッテリパックから受電した電圧をレーザー光生成部に適した電圧値に変換するパック電圧変換部と、外部電源接続部により外部電源から受電した電圧をレーザー光生成部に適した電圧値に変換する外部電圧変換部と、を備えてもよい。
【００３８】
このようにパック電圧変換部および外部電圧変換部を備えて電圧変換することで、多種多様なバッテリパックや、多種多様な外部電源からの電力を用いて、レーザー照射を実現できる。
【００３９】
次に、上述のレーザー墨出し器においては、レーザー光生成部は、レーザー光として緑色のレーザー光を生成するものであってもよい。
緑色のレーザーを生成するレーザー光生成部は、従来から広く用いられている赤色のレーザー光を生成するレーザー光生成部（レーザー素子）に比べて、電力消費量が大きいため、従来よりも短時間で電源が放電してしまう。
【００４０】
このため、充放電可能なバッテリパックを電力源として用いることで、一次電池（乾電池）を用いる場合に比べて、より一層、資源の無駄遣いを抑制できる。
ところで、バッテリパックは、定格容量の増加に伴い、重量が重くなる。上述のレーザー墨出し器においては、パック装着部に装着されたバッテリパックの重量が重くなるに従い、重心がバッテリパック側に偏り、設置場所の状況（傾きなど）によっては転倒する可能性がある。
【００４１】
そこで、上述のレーザー墨出し器においては、脚部と、補助支持部と、を備えてもよい。脚部は、レーザー墨出し器の設置場所に当接するために、ハウジングの底部に設けられている。補助支持部は、ハウジングから延設されている。
【００４２】
補助支持部は、ハウジングの中心軸の上側から平面視した場合において、自身の先端に接地部を備えるとともに、前記接地部のうち少なくとも一部と中心軸とを結ぶ仮想線分がパック装着部と交差するように、接地部が配置される構成である。
【００４３】
補助支持部の接地部は、パック装着部よりも低い領域に配置されるとともに、脚部に当接する仮想地面に対して隙間を介して配置される。
このような補助支持部を備えるレーザー墨出し器は、パック装着部に装着したバッテリパックの重量によって重心がバッテリパック側に偏り傾いたとしても、完全に転倒する前に、補助支持部が地面に当接して当該レーザー墨出し器を支持することができる。
【００４４】
よって、このレーザー墨出し器によれば、補助支持部を備えることで、重量の重いバッテリパックを装着した場合であっても転倒を抑制できる。
なお、「脚部に当接する仮想地面」とは、レーザー墨出し器を設置場所への設置時に脚部が当接する地面を延長した仮想的な地面である。また、脚部は、複数備えられるとともにそれぞれが伸縮可能な構成でもよい。その場合、仮想地面は、最も短い状態に設定された脚部が当接する地面に基づいて定めてもよい。
【００４５】
次に、脚部および補助支持部を備える上述のレーザー墨出し器においては、補助支持部は、パック装着部よりも下側の領域に備えられる構成であってもよい。
このような構成の補助支持部は、自身の少なくとも一部がパック装着部よりも上側の領域にも配置される構成に比べて、自身の長さ寸法（換言すれば、接地部からハウジングとの接続端部までの寸法）を短くすることができる。このため、補助支持部の材料費を低減できるとともに、レーザー墨出し器の製造コストの上昇を抑制できる。
【００４６】
また、このような構成の補助支持部は、パック装着部と同じ高さの領域およびパック装着部よりも上側の領域には配置されないため、バッテリパックの着脱作業の際にバッテリパックとの干渉が生じがたくなる。
【００４７】
次に、脚部および補助支持部を備える上述のレーザー墨出し器においては、補助支持部
は、回動または摺動による移動が可能な形態でハウジングに取り付けられてもよい。そして、補助支持部は、自身の移動可能範囲のうち予め定められた支持位置に固定されることで、仮想線分がパック装着部と交差するように接地部が配置されるとともに、接地部がパック装着部よりも低い領域において仮想地面に対して隙間を介して配置される構成でもよい。
【００４８】
このような構成の補助支持部を備えることで、レーザー墨出し器の使用状況に応じて、補助支持部を支持位置に固定する場合と固定しない場合とを切り替えることが可能となる。例えば、レーザー墨出し器の使用時には、補助支持部を支持位置に固定し、レーザー墨出し器の未使用時（運搬時、保管時）には、補助支持部を支持位置とは異なる位置（例えば、運搬位置、保管位置など）に固定してもよい。あるいは、レーザー墨出し器の未使用時には、補助支持部を自由に移動可能な状態としてもよい。
【００４９】
次に、移動可能な補助支持部を備える上述のレーザー墨出し器においては、補助支持部は、使用者がつかむための持ち手部を備えてもよい。
このように、補助支持部が持ち手部を備えることで、補助支持部と持ち手部とを別々に備える必要が無くなり、レーザー墨出し器を構成する部品点数の増加を抑制できる。
【００５０】
次に、移動可能な補助支持部を備える上述のレーザー墨出し器においては、補助支持部は、接地部がハウジングの上端よりも高い領域に移動可能に構成されるとともに、接地部および持ち手部が同一部位であってもよい。
【００５１】
このように接地部および持ち手部が同一部位であることで、補助支持部において接地部と持ち手部とを異なる部位に形成する場合に比べて、補助支持部の大型化を抑制できる。
次に、移動可能な補助支持部を備える上述のレーザー墨出し器においては、補助支持部は、２つの連結部を介してハウジングの側面に取り付けられるとともに、２つの連結部を中心として回動可能に構成されてもよい。
【００５２】
補助支持部は、２つの連結部のそれぞれから接地部に向けて延びる２つの延設部を備えている。中心軸の上側から平面視した場合のハウジングにおける２つの連結部の位置は、補助支持部が支持位置に固定されたときに、接地部および２つの延設部がハウジングの側面のうち少なくともパック装着部の形成領域を取り囲む状態となる位置である。
【００５３】
このようなレーザー墨出し器は、補助支持部が２つの連結部を介してハウジングの側面に取り付けられる構成であるため、１つの連結部を介して取り付けられる構成に比べて、レーザー墨出し器の重量が重くなる場合でも補助支持部を用いて吊り上げることができる。これにより、重量の重いレーザー墨出し器であっても、使用者は補助支持部の持ち手部を掴んでこのレーザー墨出し器を安定して運搬することができる。
【００５４】
また、このレーザー墨出し器は、ハウジングにおける２つの連結部の位置が上記のように定められることで、接地部がパック装着部よりも低い領域に移動するように補助支持部を回動することで、所定条件が満たされるように接地部を配置することを容易に実現できる。所定条件とは、仮想線分がパック装着部と交差するように接地部を配置すること、および、パック装着部よりも低い領域において仮想地面に対して隙間を介する位置に接地部を配置することである。補助支持部の接地部がこのような位置に配置されることで、レーザー墨出し器の転倒を抑制できる。
【００５５】
次に、２つの連結部を中心として回動する補助支持部を備える上述のレーザー墨出し器においては、２つの延設部のうち一方は弾性変形可能な軟質材料で形成された軟質延設部であり、他方は軟質延設部よりも硬くて弾性変形しない硬質材料で形成された硬質延設部
であってもよい。
【００５６】
軟質延設部は、補助支持部の回動時における自身の移動軌跡がバッテリパックの着脱時移動領域と重なる位置に配置され、硬質延設部は、補助支持部の回動時における自身の移動軌跡がバッテリパックの着脱時移動領域と重ならない位置に配置される。
【００５７】
このレーザー墨出し器においては、軟質延設部が弾性変形可能であるため、バッテリパックを着脱する際に軟質延設部とバッテリパックとが干渉しても、軟質延設部が弾性変形することでバッテリパックの着脱作業を継続することができる。
【００５８】
次に、移動可能な補助支持部を備える上述のレーザー墨出し器においては、補助支持部は、１つの連結部を介してハウジングの側面に取り付けられるとともに、連結部を中心として回動可能に構成されてもよい。補助支持部は、連結部から接地部に向けて延びる延設部を備えている。ハウジングにおける連結部の位置は、補助支持部の回動時における接地部および延設部の移動領域が、パック装着部への着脱作業時におけるバッテリパックの移動領域に重ならない位置である。
【００５９】
このようなレーザー墨出し器においては、補助支持部が１つの連結部を介してハウジングの側面に取り付けられる構成であるため、２つの連結部を介して取り付けられる構成に比べて、補助支持部の回動時における接地部および延設部の移動領域が小さくなる。このため、接地部および延設部の移動領域がバッテリパックの移動領域に重ならないようにしつつ、ハウジングにおける連結部の位置を決定するにあたり、連結部の位置の自由度が広がる。
【００６０】
次に、移動可能な補助支持部を備える上述のレーザー墨出し器においては、補助支持部は、２つの連結部を介してハウジングの側面に取り付けられるとともに、２つの連結部に沿って摺動可能に構成されてもよい。接地部は、補助支持部のうち連結部よりも低い位置に形成される。持ち手部は、補助支持部のうち連結部よりも高い位置に形成される。
【００６１】
このレーザー墨出し器は、上述のような補助支持部を備えることで、接地部による転倒防止に加えて、持ち手部による持ち運びが容易な構成を実現できる。補助支持部が、摺動により移動するとともに接地部と持ち手部とが異なる部位に備えられる構成であるため、補助支持部の移動作業（例えば、支持位置から他の位置に移動する作業など）を容易に実行できる。
【００６２】
次に、連結部および持ち手部を備える上述のレーザー墨出し器においては、連結部は、ハウジングのうちレーザー墨出し器の重心よりも高い位置に形成されてもよい。
このレーザー墨出し器においては、使用者が持ち手部をつかんでこのレーザー墨出し器を持ち上げたときに、重心が連結部よりも低い位置となるため、レーザー墨出し器のうち補助支持部を除いた本体部分が安定した状態となる。このため、持ち手部を掴んでレーザー墨出し器を持ち上げたときに、ハウジングが回動または摺動して上下反転することを抑制でき、安定した状態でレーザー墨出し器を持ち運ぶことができる。
【００６３】
次に、補助支持部を備える上述のレーザー墨出し器においては、補助支持部の接地部は自身の表面が弾性材料で形成される構成であってもよい。
このような構成の補助支持部を備えることで、レーザー墨出し器が傾いて接地部が地面に当設した際に、接地部のうち弾性材料で形成された部分が滑り止め機能を発揮するため、レーザー墨出し器がより転倒し難くなる。また、接地部および持ち手部が同一部位となる構成においては、持ち手部（換言すれば、接地部）の表面が弾性材料で形成されることで、使用者が持ち手部を掴んでレーザー墨出し器を運搬する際に、持ち手部が滑ってレー
ザー墨出し器が落下することを抑制できる。
【発明の効果】
【００６４】
本発明のレーザー墨出し器によれば、資源の無駄遣いを低減しつつ、内部に収容される各構成要素における配置の自由度が低下しがたいレーザー墨出し器を提供できる。
【図面の簡単な説明】
【００６５】
【図１】バッテリパックが装着された状態のレーザー墨出し器の外観を表した斜視図である。
【図２】バッテリパックが取り外された状態のレーザー墨出し器の外観を表した斜視図である。
【図３】レーザー墨出し器のうちバッテリパックが装着される背面側の外観を表した外観図である。
【図４】レーザー墨出し器の内部におけるレーザー光生成部（レーザー光射出部、射出制御部）の設置領域を示す説明図である。
【図５】レーザー墨出し器の内部における調整用錘の設置領域を示す説明図である。
【図６】レーザー墨出し器の上側の外観を表すとともに、バッテリパック（バック装着部）の設置位置を示した説明図である。
【図７】レーザー墨出し器の電気的構成を示すブロック図である。
【図８】バッテリパックが装着された状態の第２レーザー墨出し器の外観を表した斜視図である。
【図９】バッテリパックが装着された状態の第２レーザー墨出し器の外観を表した側面図である。
【図１０】バッテリパックが装着された状態の第２レーザー墨出し器の外観を表した正面図である。
【図１１】補助支持部が支持位置に配置された状態の第３レーザー墨出し器の外観を表した斜視図である。
【図１２】補助支持部が支持位置に配置された状態の第３レーザー墨出し器の外観を表した側面図である。
【図１３】補助支持部が支持位置に配置された状態の第３レーザー墨出し器の外観を表した平面図である。
【図１４】補助支持部の接地部がハウジングよりも高い位置に配置された状態の第３レーザー墨出し器の外観を表した側面図である。
【図１５】第３レーザー墨出し器の補助支持部が支持位置に配置されたときに、ハウジングの中心軸の上側から平面視した場合において、接地部の一部と中心軸とを結ぶ仮想線分がパック装着部と交差することを示す説明図である。
【図１６】補助支持部が支持位置に配置された状態の第４レーザー墨出し器の外観を表した斜視図である。
【図１７】補助支持部が支持位置に配置された状態の第４レーザー墨出し器の背面側の外観を表した外観図である。
【図１８】補助支持部が支持位置に配置された状態の第４レーザー墨出し器の外観を表した側面図である。
【図１９】補助支持部の接地部がハウジングよりも高い位置に配置された状態の第４レーザー墨出し器の外観を表した側面図である。
【図２０】補助支持部が支持位置に配置された状態の第５レーザー墨出し器の外観を表した斜視図である。
【図２１】補助支持部が支持位置に配置された状態の第５レーザー墨出し器の外観を表した側面図である。
【図２２】補助支持部の接地部がハウジングよりも高い位置に配置された状態の第５レーザー墨出し器の外観を表した斜視図である。
【図２３】固定補助支持部を備える第６レーザー墨出し器の外観を表した斜視図である。
【図２４】固定補助支持部を備える第６レーザー墨出し器の外観を表した側面図である。
【図２５】第６レーザー墨出し器をハウジングの中心軸の上側から平面視した場合において、接地部の一部と中心軸とを結ぶ仮想線分がパック装着部と交差することを示す説明図である。
【図２６】固定補助支持部を備える第７レーザー墨出し器の外観を表した斜視図である。
【図２７】固定補助支持部を備える第７レーザー墨出し器の外観を表した側面図である。
【図２８】スライド型補助支持部を備える第８レーザー墨出し器の外観を表した斜視図である。
【図２９】スライド型補助支持部を備える第８レーザー墨出し器の外観を表した側面である。
【図３０】第８レーザー墨出し器をハウジングの中心軸の上側から平面視した場合において、接地部の一部と中心軸とを結ぶ仮想線分がパック装着部と交差することを示す説明図である。
【図３１】スライド型補助支持部が最上位置に配置された状態の第８レーザー墨出し器の外観を表した側面図である。
【発明を実施するための形態】
【００６６】
以下に本発明の実施形態を図面と共に説明する。
［１．第１実施形態］
［１−１．全体構成］
本実施形態のレーザー墨出し器１は、土木、建築工事等に用いられるものであり、対象物に対してレーザー光による基準線を投射するように構成されている。
【００６７】
図１〜図６に示すように、レーザー墨出し器１は、ハウジング３と、バッテリパック５と、パック装着部７と、レーザー光生成部９と、を備えている。なお、以下の説明では、レーザー墨出し器１の側面のうちパック装着部７が備えられる側を背面として説明する。例えば、図３に示すレーザー墨出し器１においては、図の奥側が正面であり、図の手前側が背面であり、図の左側が左側面であり、図の右側が右側面である。
【００６８】
ハウジング３は、図３などに示すように、レーザー墨出し器１の設置場所に当接するベース部１３と、鉛直方向に延びる中心軸Ｌ１を中心として回転可能な状態でベース部１３の上側に固定される回転部１１と、を備える。
【００６９】
回転部１１は、中心軸Ｌ１を中心として軸線方向に延びる略円柱形状であり、上端の周囲部分が曲線形状（丸形状）に形成されている。回転部１１は、レーザー光を生成するレーザー光生成部９（図４参照）を内部に収容する。回転部１１は、図１などに示すように、レーザー光を内部から外部に向けて通過させる水平レーザー光通過部２１および鉛直レーザー光通過部２３を備えている。
【００７０】
水平レーザー光通過部２１は、レーザー光生成部９から射出されたレーザー光のうち水平方向基準線を示す水平レーザー光をハウジング３の内部から外部に向けて通過させるよう構成されている。水平レーザー光通過部２１は、回転部１１において４個設けられており、詳細には、中心軸Ｌ１を中心とする周方向のうち４等分した４領域のそれぞれに１個ずつ設けられている。
【００７１】
鉛直レーザー光通過部２３は、レーザー光生成部９から射出されたレーザー光のうち鉛直方向基準線を示す鉛直レーザー光をハウジング３の内部から外部に向けて通過させるよう構成されている。鉛直レーザー光通過部２３は、回転部１１において４個設けられており、詳細には、中心軸Ｌ１を中心とする周方向のうち４等分した４領域のそれぞれに１個ずつ設けられている。
【００７２】
ベース部１３は、板部３１と、脚部３３と、を備える。
板部３１は、回転部１１を回転可能に支持する略円盤板状の部材である。脚部３３は、板部３１を支持するように３個備えられている。
【００７３】
バッテリパック５は、図２に示すように、パック装着部７に対して着脱可能に構成されている。バッテリパック５は、充電・放電が可能に構成されており、所定の直流電圧を発生する二次電池セル（図示省略）を内蔵するとともに、二次電池セルと電気的に接続された電極端子（図示省略）を備えている。バッテリパック５は、電極端子（図示省略）を介して外部（パック装着部７、充電器（図示省略）など）と電気的に接続されることで、二次電池セルから外部への放電電流の出力や、外部から二次電池セルへの充電電流の入力を実行するように構成されている。
【００７４】
パック装着部７は、ハウジング３における回転部１１の側面のうち背面側に形成されている。パック装着部７は、回転部１１の側面に対して平行（換言すれば、中心軸Ｌ１を中心とする仮想円の接線方向に対して平行）に形成される２本のスライドレール４３を備える。つまり、パック装着部７は、バッテリパック５をスライドレール４３に沿ってスライドさせることで、バッテリパック５を着脱するように構成されている。
【００７５】
また、パック装着部７は、２つの電極端子４５を備えている。電極端子４５は、回転部１１の内部に配設される電気ケーブル（図示省略）や操作スイッチ５１などを介して、レーザー光生成部９と電気的に接続可能に構成されている。電極端子４５は、バッテリパック５がスライドレール４３に装着された際に、バッテリパック５の電極端子（図示省略）と接続されるように構成されている。
【００７６】
つまり、バッテリパック５は、パック装着部７に装着されることで、電極端子４５を介してレーザー光生成部９に電力供給することができる。
レーザー光生成部９は、図４に示すように、レーザー光を射出するレーザー光射出部２５と、レーザー光射出部２５でのレーザー光の射出状態を制御する射出制御部２７と、を備える。
【００７７】
レーザー光射出部２５は、電力供給によりレーザー光を生成するレーザー光源（図示省略）と、レーザー光源から射出されたレーザー光を線状光に変換するレンズ等を有するレーザー光変換部（図示省略）と、を備えている。レーザー光射出部２５は、線状光として、水平方向基準線を示す水平レーザー光と、鉛直方向基準線を示す鉛直レーザー光と、を射出する。レーザー光射出部２５は、４個の水平レーザー光通過部２１および４個の鉛直レーザー光通過部２３のそれぞれの形成位置に応じて、４つの水平レーザー光および４つの鉛直レーザー光をそれぞれ射出するように構成されている。また、レーザー光射出部２５は、緑色のレーザー光を射出する。
【００７８】
レーザー光射出部２５は、機械式のジンバル機構によって鉛直姿勢を維持できるように揺動可能に支持されている。また、レーザー光射出部２５は、操作スイッチ５１に連動して作動するストッパ（図示省略）によって固定状態および揺動状態のうちいずれかの状態に設定される。つまり、使用者によって操作スイッチ５１がＯＮ状態に設定されると、レーザー光射出部２５は揺動状態に設定され、使用者によって操作スイッチ５１がＯＦＦ状
態に設定されると、レーザー光射出部２５は固定状態に設定される。
【００７９】
射出制御部２７は、バッテリパック５または外部電源からの電力供給を受けるとともに、使用者からの指令内容に応じて、レーザー光射出部２５でのレーザー光の射出状態（レーザー輝度、射出方向など）を制御する。射出制御部２７は、例えば、マイクロコンピュータ（以下、「マイコン」と略称する）を備えて構成することができる。なお、使用者は、図示しない指令スイッチを操作することで、レーザー光の射出状態（レーザー輝度、射出方向など）に関する指令内容を設定することができる。
【００８０】
レーザー墨出し器１は、さらに、操作スイッチ５１（図３、図６参照）および外部電源接続部５３（図１参照）を備えている。
操作スイッチ５１は、ハウジング３の回転部１１の側面に備えられており、使用者の操作によりＯＮ状態またはＯＦＦ状態に設定される。外部電源接続部５３は、ハウジング３の回転部１１の側面に形成されており、外部電源（ＡＣアダプタ７１またはＤＣアダプタなど。図７参照。）と電気的に接続可能に構成されている。
【００８１】
なお、レーザー光生成部９、バッテリパック５、操作スイッチ５１、外部電源接続部５３に関する電気的構成については、後述する。
レーザー墨出し器１は、さらに、バッテリパック５の重量による転倒を抑制するために、レーザー墨出し器１の重心の位置を調整するための調整用錘５７（図５，図６参照）を備えている。調整用錘５７の配置領域については、後述する。
【００８２】
［１−２．電気的構成］
レーザー墨出し器１の電気的構成について、図７に基づき説明する。
図７は、レーザー墨出し器１の電気的構成を示すブロック図である。
【００８３】
レーザー墨出し器１は、上述したバッテリパック５、パック装着部７、レーザー光生成部９、操作スイッチ５１、外部電源接続部５３の他に、パック側変圧回路６１，外部電源側変圧回路６３、切替スイッチ６５を備えている。
【００８４】
なお、操作スイッチ５１は、パック側スイッチ部５１ａおよび外部電源側スイッチ部５１ｂを備えており、使用者の操作により各スイッチ部の状態（ＯＮ状態またはＯＦＦ状態）を切替可能に構成されている。
【００８５】
図７に示すように、パック装着部７（詳細には、電極端子４５）は、操作スイッチ５１（詳細には、パック側スイッチ部５１ａ）、パック側変圧回路６１、切替スイッチ６５を介して、レーザー光生成部９に電気的に接続可能に構成されている。パック側変圧回路６１は、パック装着部７に装着されたバッテリパック５の出力電圧（例えば、１２．０Ｖ）を、レーザー光生成部９の駆動に適した電圧（例えば、７．０Ｖ）に電圧変換（降圧）するための回路である。
【００８６】
外部電源接続部５３は、操作スイッチ５１（詳細には、外部電源側スイッチ部５１ｂ）、外部電源側変圧回路６３、切替スイッチ６５を介して、レーザー光生成部９に電気的に接続可能に構成されている。外部電源側変圧回路６３は、外部電源接続部５３に接続されたＡＣアダプタ７１の出力電圧（例えば、５．０Ｖ）を、レーザー光生成部９の駆動に適した電圧（例えば、７．０Ｖ）に電圧変換（昇圧）するための回路である。
【００８７】
外部電源接続部５３は、接続検出部５３ａを備えており、接続検出部５３ａは、外部電源（ＡＣアダプタ７１など）が接続されたか否かを検出する。接続検出部５３ａでの検出結果は、切替スイッチ６５の切替状態の設定に利用される。つまり、切替スイッチ６５は
、接続検出部５３ａにて外部電源の接続が検出されていない場合には、接点ａと接点ｃとを接続する状態に設定されることで、パック側変圧回路６１とレーザー光生成部９とを接続する状態に設定される。また、切替スイッチ６５は、接続検出部５３ａにて外部電源の接続が検出される場合には、接点ｂと接点ｃとを接続する状態に設定されることで、外部電源側変圧回路６３とレーザー光生成部９とを接続する状態に設定される。
【００８８】
このような構成のレーザー墨出し器１においては、操作スイッチ５１（パック側スイッチ部５１ａ、外部電源側スイッチ部５１ｂ）がＯＮ状態であり、かつ、外部電源接続部５３に外部電源（ＡＣアダプタ７１）が接続されていない状態の場合には、バッテリパック５からレーザー光生成部９に対して電力供給が行われる。
【００８９】
また、操作スイッチ５１がＯＮ状態であり、かつ、外部電源接続部５３に外部電源（ＡＣアダプタ７１）が接続される状態の場合には、外部電源（ＡＣアダプタ７１）からレーザー光生成部９に対して電力供給が行われる。
【００９０】
さらに、操作スイッチ５１がＯＦＦ状態の場合には、外部電源接続部５３に外部電源（ＡＣアダプタ７１）が接続されたか否かに関わらず、レーザー光生成部９に対する電力供給が停止される。
【００９１】
［１−３．バッテリパックおよびパック装着部］
バッテリパック５は、図３に示すように、パック装着部７に装着した状態において、鉛直方向最大寸法Ｈ１が水平方向最大寸法Ｗ１よりも小さい形状（Ｈ１＜Ｗ１）となるように構成されている。
【００９２】
このような形状のバッテリパック５は、パック装着部７に装着した状態での鉛直方向最大寸法Ｈ１が水平方向最大寸法Ｗ１よりも大きい形状（Ｈ１＞Ｗ１）のバッテリパックに比べて、パック装着部７に装着した状態での鉛直方向最大寸法Ｈ１（高さ寸法Ｈ１）を小さくすることができる。
【００９３】
これにより、レーザー墨出し器１の全体として鉛直方向寸法（高さ寸法）が大きくなることを抑制でき、高さ寸法の増加に伴うレーザー墨出し器１の転倒リスクを低減できる。
パック装着部７は、上述のように、２本のスライドレール４３が回転部１１の側面に対して平行（換言すれば、中心軸Ｌ１を中心とする仮想円の接線方向に対して平行）に形成されるように構成されている。ここで、回転部１１の側面に対して平行な方向としては、水平方向および鉛直方向のいずれの方向も含まれる。本実施形態では、スライドレール４３は、水平方向に対して平行に形成されている。
【００９４】
このようなスライドレール４３を備えることで、バッテリパック５の着脱時におけるバッテリパック５の移動方向は水平方向となり、鉛直方向の移動は無くなる。この場合、バッテリパック５の着脱時において、ハウジング３の外表面のうちパック装着部７よりも上側領域および下側領域がバッテリパック５と干渉するのを抑制できるとともに、干渉に伴う破損が生じることを抑制できる。
【００９５】
とりわけ、本実施形態のレーザー墨出し器１は、水平レーザー光通過部２１および鉛直レーザー光通過部２３がパック装着部７の上側領域に配置される構成であるため、着脱時のバッテリパック５の移動方向が鉛直方向である場合には、バッテリパック５との干渉により水平レーザー光通過部２１および鉛直レーザー光通過部２３にキズがつく可能性がある。これに対して、本実施形態では、着脱時におけるバッテリパック５の移動方向は水平方向であり、バッテリパック５との干渉により水平レーザー光通過部２１および鉛直レーザー光通過部２３にキズがつくことを抑制できるため、適切にレーザー光を対象物に投射
することができる。
【００９６】
そして、本実施形態のレーザー墨出し器１においては、バッテリパック５は、パック装着部７への装着時における鉛直方向最大寸法Ｈ１が水平方向最大寸法Ｗ１よりも小さい形状であり、かつ、パック装着部７は、スライドレール４３が水平方向に対して平行に形成されている。このような構成のレーザー墨出し器１は、２つのスライドレール４３どうしの間隔寸法を小さくすることができ、レーザー墨出し器１の高さ寸法が大きくなるのを抑制できる。
【００９７】
［１−４．レーザー光生成部］
レーザー光生成部９は、上述の通り、レーザー光射出部２５と、射出制御部２７と、を備える。
【００９８】
ここで、レーザー墨出し器１の内部における射出制御部２７の配置位置について説明する。
図６に示すように、パック装着部７のスライドレール４３に平行かつ中心軸Ｌ１を含む仮想平面ＶＦを想定した場合には、仮想平面ＶＦにより分割されるレーザー墨出し器１の内部領域は、パック装着部７が含まれる第１領域Ｃ１と、パック装着部７が含まれない第２領域Ｃ２と、に分けられる。
【００９９】
射出制御部２７は、レーザー墨出し器１における２つの領域（第１領域Ｃ１および第２領域Ｃ２）のうち、第２領域Ｃ２に配置されている。
なお、第１領域Ｃ１は、パック装着部７が備えられることから、バッテリパック５が配置されることになる。バッテリパック５は、レーザー墨出し器１の構成要素のうち相対的に重量の大きい構成要素であり、第１領域Ｃ１に配置されることとなる。
【０１００】
つまり、射出制御部２７は、仮想平面ＶＦで分けられた２つの領域（第１領域Ｃ１、第２領域Ｃ２）のうち、パック装着部７（バッテリパック５）が配置される第１領域Ｃ１ではなく、第１領域Ｃ１とは異なる第２領域Ｃ２に配置される。
【０１０１】
このように、仮想平面ＶＦで分けられた２つの領域（第１領域Ｃ１、第２領域Ｃ２）において、パック装着部７（バッテリパック５）および射出制御部２７を互いに異なる領域に配置することで、パック装着部７（バッテリパック５）および射出制御部２７を同一領域に配置する場合に比べて、レーザー墨出し器１における重心を中心軸Ｌ１に近づけることができる。
【０１０２】
これにより、レーザー墨出し器１における重心がバッテリパック側に偏るのを抑制でき、転倒のリスクを抑制できる。
また、図５および図６に示すように、第２領域Ｃ２には、レーザー墨出し器１の重心の位置を調整するための調整用錘５７が配置されている。調整用錘５７は、レーザー墨出し器１における他の構成要素のみでは重心がバッテリパック側に偏りレーザー墨出し器１の転倒の可能性がある場合に、レーザー墨出し器１に備えられる。
【０１０３】
調整用錘５７の重量および配置位置は、図６に示すようにレーザー墨出し器１を平面視したときに、レーザー墨出し器１の重心が３つの脚部３３（詳細には、接地部分）を頂点とする三角形領域に含まれるように調整（設定）されている。なお、本実施形態では、調整用錘５７は、第２領域Ｃ２のうち、中心軸Ｌ１を通り仮想平面ＶＦに垂直な平面に対して、少なくとも一部が交差する位置に配置されている。また、調整用錘５７は、図５に示すように、鉛直方向（高さ方向）においては、自身の下端部がバッテリパック５の下端部よりも低い位置となるように配置されている。
【０１０４】
［１−５．外部電源受電部］
レーザー墨出し器１は、上述の通り、ハウジング３の回転部１１の側面に外部電源接続部５３を備えており、外部電源接続部５３は、外部電源（ＡＣアダプタ７１）と電気的に接続可能に構成されている。
【０１０５】
このような外部電源接続部５３を備えることで、レーザー墨出し器１は、バッテリパック５とは別の外部電源からの電力を受電することが可能となる。これにより、レーザー墨出し器１は、バッテリパック５の状態が「残りの充電量が零の状態」あるいは「故障状態」となった場合でも、外部電源からの電力供給によりレーザー光の射出が可能となる。
【０１０６】
また、ＡＣアダプタ７１は、出力電圧が４．５〜５．５Ｖの範囲に含まれる外部電源である。つまり、外部電源接続部５３は、出力電圧が４．５〜５．５Ｖの範囲に含まれる外部電源に接続されるように構成されている。出力電圧が上記範囲となるよう構成された外部電源（ＡＣアダプタ７１）は、汎用品として広く流通しており、そのような外部電源は容易に入手可能である。
【０１０７】
これにより、レーザー墨出し器１は、バッテリパック５の状態が「残りの充電量が零の状態」あるいは「故障状態」となったときでも、外部電源（ＡＣアダプタ７１）からの電力供給によりレーザー光の射出が可能となる。
【０１０８】
［１−６．効果］
以上説明したように、本実施形態のレーザー墨出し器１においては、パック装着部７がハウジング３の側面に形成されており、パック装着部７は、回転部１１の側面に対して平行（換言すれば、中心軸Ｌ１を中心とする仮想円の接線方向に対して平行）に形成される２本のスライドレール４３を備える。つまり、パック装着部７は、バッテリパック５をスライドレール４３に沿ってスライドさせることで、バッテリパック５を着脱するように構成されている。
【０１０９】
このように、ハウジング３の側面に対して平行にバッテリパック５をスライドさせてバッテリパック５を着脱する方式は、ハウジング３の外表面に対する垂直な方向にバッテリパックを移動させて着脱する方式（差し込み方式）に比べて、バッテリパック５をハウジング３の中心位置（中心軸Ｌ１）から離れた領域に配置できる。
【０１１０】
これにより、ハウジング３の内部領域におけるレーザー光生成部９の配置領域に対するバッテリパック５の配置領域の影響を小さくすることができる。つまり、レーザー墨出し器１の内部におけるバッテリパック５の占有領域が大きくなることを抑制でき、レーザー墨出し器１の内部における各構成要素の配置の自由度が低下するのを抑制できる。
【０１１１】
そして、レーザー墨出し器１は、パック装着部７が充放電可能なバッテリパック５を装着できる構成であることから、充電によりバッテリパック５を繰り返し使用できるため、一次電池（乾電池など）を用いる場合に比べて、資源の無駄遣いを低減できる。
【０１１２】
よって、レーザー墨出し器１によれば、資源の無駄遣いを低減しつつ、内部に収容される各構成要素における配置の自由度が低下しがたいレーザー墨出し器を提供できる。
また、レーザー墨出し器１は、既存のレーザー墨出し器を基に設計変更して実現する場合には、内部に収容される各構成要素（レーザー光生成部など）の配置領域を大幅に変更することなく、バッテリパック５を装着することが可能となる。
【０１１３】
次に、上述のように、バッテリパック５は、パック装着部７に装着した状態において、
鉛直方向最大寸法Ｈ１が水平方向最大寸法Ｗ１よりも小さい形状（Ｈ１＜Ｗ１）となるように構成されている。これにより、レーザー墨出し器１の全体として鉛直方向寸法（高さ寸法）が大きくなることを抑制でき、高さ寸法の増加に伴うレーザー墨出し器１の転倒リスクを低減できる。
【０１１４】
次に、上述のように、パック装着部７は、２本のスライドレール４３が回転部１１の側面に対して平行（換言すれば、中心軸Ｌ１を中心とする仮想円の接線方向に対して平行）であり、かつ、水平方向に対して平行に形成されるように、構成されている。
【０１１５】
このようなスライドレール４３を備えることで、バッテリパック５の着脱時におけるバッテリパック５の移動方向は水平方向となり、鉛直方向の移動は無くなる。この場合、バッテリパック５の着脱時において、ハウジング３の外表面のうちパック装着部７よりも上側領域および下側領域がバッテリパック５と干渉するのを抑制できるとともに、干渉に伴う破損が生じることを抑制できる。
【０１１６】
次に、レーザー墨出し器１においては、ハウジング３は、ベース部１３と回転部１１とを備えており、パック装着部７は、回転部１１の側面に形成されている。
このように、ハウジング３がベース部１３と回転部１１とを備えて構成されることで、回転部１１の回転によりレーザー光の投射方向を容易に調整することができる。
【０１１７】
また、パック装着部７が回転部１１の側面に形成される構成を採ることで、バッテリパック５からレーザー光生成部９に至る通電経路を、ベース部１３および回転部１１の両者に跨るように配置する必要が無くなる。これにより、このレーザー墨出し器１は、回転により相対位置が変化する箇所に通電経路を設ける必要が無くなり、通電経路が複雑化するのを抑制できる。
【０１１８】
次に、レーザー墨出し器１においては、射出制御部２７は、レーザー墨出し器１における２つの領域（第１領域Ｃ１および第２領域Ｃ２）のうち、パック装着部７（バッテリパック５）が配置される第１領域Ｃ１ではなく、第１領域Ｃ１とは異なる第２領域Ｃ２に配置される。
【０１１９】
このように、仮想平面ＶＦで分けられた２つの領域（第１領域Ｃ１、第２領域Ｃ２）において、パック装着部７（バッテリパック５）および射出制御部２７を互いに異なる領域に配置することで、パック装着部７（バッテリパック５）および射出制御部２７を同一領域に配置する場合に比べて、レーザー墨出し器１における重心を中心軸Ｌ１に近づけることができる。
【０１２０】
これにより、レーザー墨出し器１における重心がバッテリパック側に偏るのを抑制でき、転倒のリスクを抑制できる。
次に、レーザー墨出し器１は、レーザー光生成部９に対して電力供給する外部電源（ＡＣアダプタ７１）に接続される外部電源接続部５３を備えている。このため、レーザー墨出し器１は、バッテリパック５とは別の外部電源（ＡＣアダプタ７１）からの電力を受電することが可能となる。
【０１２１】
よって、レーザー墨出し器１は、バッテリパック５の状態が「残りの充電量が零の状態」あるいは「故障状態」となった場合でも、外部電源からの電力供給によりレーザー光の射出が可能となる。
【０１２２】
また、ＡＣアダプタ７１は、出力電圧が４．５〜５．５Ｖの範囲に含まれる外部電源であり、出力電圧が上記範囲となるよう構成された外部電源は、汎用品として広く流通して
おり、そのような外部電源は容易に入手可能である。
【０１２３】
よって、レーザー墨出し器１は、バッテリパック５の状態が「残りの充電量が零の状態」あるいは「故障状態」となったときでも、外部電源（ＡＣアダプタ７１）からの電力供給によりレーザー光の射出が可能となる。
【０１２４】
次に、レーザー墨出し器１は、パック側変圧回路６１と、外部電源側変圧回路６３と、を備えている。
このようにパック側変圧回路６１および外部電源側変圧回路６３を備えて、バッテリパック５および外部電源（ＡＣアダプタ７１）の出力電圧を、レーザー光生成部９の駆動に適した電圧に変換（変圧）することで、多種多様なバッテリパックや、多種多様な外部電源からの電力を用いて、レーザー照射を実現できる。
【０１２５】
次に、レーザー墨出し器１においては、レーザー光生成部９は、レーザー光として緑色のレーザー光を生成するよう構成されている。
緑色のレーザーを生成するレーザー光生成部９は、従来から広く用いられている赤色のレーザー光を生成するレーザー光生成部（レーザー素子）に比べて、電力消費量が大きいため、従来よりも短時間で電源が放電してしまう。
【０１２６】
これに対して、レーザー墨出し器１は、充放電可能なバッテリパック５を電力源として用いる構成であるため、一次電池（乾電池）を用いる場合に比べて、より一層、資源の無駄遣いを抑制できる。
【０１２７】
［１−７．文言の対応関係］
ここで、文言の対応関係について説明する。
レーザー墨出し器１がレーザー墨出し器の一例に相当し、レーザー光生成部９がレーザー光生成部の一例に相当し、ハウジング３がハウジングの一例に相当し、バッテリパック５がバッテリパックの一例に相当し、パック装着部７がパック装着部の一例に相当し、スライドレール４３がスライドレールの一例に相当する。
【０１２８】
ベース部１３がベース部の一例に相当し、回転部１１が回転部の一例に相当し、レーザー光射出部２５がレーザー光射出部の一例に相当し、射出制御部２７が射出制御部の一例に相当し、第１領域Ｃ１が第１領域の一例に相当し、第２領域Ｃ２が第２領域の一例に相当する。
【０１２９】
外部電源接続部５３が外部電源接続部の一例に相当し、ＡＣアダプタ７１が外部電源の一例に相当し、パック側変圧回路６１がパック電圧変換部の一例に相当し、外部電源側変圧回路６３が外部電圧変換部の一例に相当する。
【０１３０】
［２．第２実施形態］
［２−１．全体構成］
次に、第２実施形態として、パック装着部がハウジングのうちベース部に備えられる構成の第２レーザー墨出し器１０１について説明する。
【０１３１】
図８〜図１０に示すように、第２レーザー墨出し器１０１は、第２ハウジング１０３と、バッテリパック５と、第２パック装着部１０７と、第２レーザー光生成部１０９と、を備えている。なお、以下の説明では、第２レーザー墨出し器１０１の側面のうち第２パック装着部１０７が備えられる側を背面として説明する。例えば、図９に示す第２レーザー墨出し器１０１においては、図の左側が正面であり、図の右側が背面であり、図の手前側が左側面であり、図の奥側が右側面である。
【０１３２】
第２ハウジング１０３は、図９に示すように、第２レーザー墨出し器１０１の設置場所に当接する第２ベース部１１３と、鉛直方向に延びる中心軸Ｌ１を中心として回転可能な状態で第２ベース部１１３の上側に固定される第２回転部１１１と、を備える。
【０１３３】
第２回転部１１１は、中心軸Ｌ１を中心として軸線方向に延びる略円柱形状であり、上端の周囲部分が、曲線形状（丸形状）および直線形状を含んだ形状に形成されている。第２回転部１１１は、レーザー光を生成する第２レーザー光生成部１０９のうち第２レーザー光射出部１２５を内部に収容する。第２回転部１１１は、図８〜図１０に示すように、レーザー光を内部から外部に向けて通過させる第２水平レーザー光通過部１２１および第２鉛直レーザー光通過部１２３を備えている。
【０１３４】
第２水平レーザー光通過部１２１は、第２レーザー光生成部１０９から射出されたレーザー光のうち水平方向基準線を示す水平レーザー光を第２ハウジング１０３の内部から外部に向けて通過させるよう構成されている。第２水平レーザー光通過部１２１は、第２回転部１１１において１個設けられており、詳細には、第２ハウジング１０３の側面のうち正面側（図９の左側、図１０の紙面手前側）に設けられている。
【０１３５】
第２鉛直レーザー光通過部１２３は、第２レーザー光生成部１０９から射出されたレーザー光のうち鉛直方向基準線を示す鉛直レーザー光を第２ハウジング１０３の内部から外部に向けて通過させるよう構成されている。第２鉛直レーザー光通過部１２３は、第２回転部１１１において３個設けられており、詳細には、第２ハウジング１０３の側面のうち正面側（図９の左側、図１０の紙面手前側）、右側面側（図１０の左側）、左側面側（図１０の右側）の３カ所に設けられている。
【０１３６】
第２ベース部１１３は、第２板部１３１と、第２脚部１３３と、を備える。
第２板部１３１は、第２回転部１１１を回転可能に支持する略円盤板状の部材である。第２脚部１３３は、第２板部１３１を支持するように３個備えられている。
【０１３７】
バッテリパック５は、第１実施形態と同様の構成であるため、説明を省略する。
第２パック装着部１０７は、第２ハウジング１０３のうち第２ベース部１１３の側面のうち背面側に形成されている。第２パック装着部１０７は、第２ベース部１１３の側面に対して平行（換言すれば、中心軸Ｌ１を中心とする仮想円の接線方向に対して平行）に形成される２本のスライドレール（図示省略）を備える。このスライドレールは、第１実施形態のスライドレール４３と同様の構成である。つまり、第２パック装着部１０７は、バッテリパック５をスライドレールに沿ってスライドさせることで、バッテリパック５を着脱するように構成されている。
【０１３８】
また、第２パック装着部１０７は、２つの電極端子（図示省略）を備えている。この電極端子は、第１実施形態の電極端子４５と同様の構成である。つまり、この電極端子は、第２ハウジング１０３（第２回転部１１１，第２ベース部１１３）の内部に配設される電気ケーブル（図示省略）や第２操作スイッチ１５１などを介して、第２レーザー光生成部１０９と電気的に接続可能に構成されている。この電極端子は、バッテリパック５がスライドレールに装着された際に、バッテリパック５の電極端子（図示省略）と接続されるように構成されている。
【０１３９】
つまり、バッテリパック５は、第２パック装着部１０７に装着されることで、電極端子を介して第２レーザー光生成部１０９に電力供給することができる。
第２レーザー光生成部１０９は、図９に示すように、レーザー光を射出する第２レーザー光射出部１２５と、第２レーザー光射出部１２５でのレーザー光の射出状態を制御する
第２射出制御部１２７と、を備える。
【０１４０】
第２レーザー光射出部１２５は、電力供給によりレーザー光を生成するレーザー光源（図示省略）と、レーザー光源から射出されたレーザー光を線状光に変換するレンズ等を有するレーザー光変換部（図示省略）と、を備えている。第２レーザー光射出部１２５は、線状光として、水平方向基準線を示す水平レーザー光と、鉛直方向基準線を示す鉛直レーザー光と、を射出する。第２レーザー光射出部１２５は、１個の第２水平レーザー光通過部１２１および３個の第２鉛直レーザー光通過部１２３のそれぞれの形成位置に応じて、１つの水平レーザー光および３つの鉛直レーザー光をそれぞれ射出するように構成されている。また、第２レーザー光射出部１２５は、緑色のレーザー光を射出する。
【０１４１】
第２レーザー光射出部１２５は、機械式のジンバル機構によって鉛直姿勢を維持できるように揺動可能に支持されている。また、第２レーザー光射出部１２５は、第２操作スイッチ１５１に連動して作動するストッパ（図示省略）によって固定状態および揺動状態のうちいずれかの状態に設定される。つまり、使用者によって第２操作スイッチ１５１がＯＮ状態に設定されると、第２レーザー光射出部１２５は揺動状態に設定され、使用者によって第２操作スイッチ１５１がＯＦＦ状態に設定されると、第２レーザー光射出部１２５は固定状態に設定される。
【０１４２】
第２射出制御部１２７は、バッテリパック５からの電力供給を受けるとともに、使用者からの指令内容に応じて、第２レーザー光射出部１２５でのレーザー光の射出状態（レーザー輝度、射出方向など）を制御する。なお、使用者は、図示しない指令スイッチを操作することで、レーザー光の射出状態（レーザー輝度、射出方向など）に関する指令内容を設定することができる。
【０１４３】
第２レーザー墨出し器１０１は、さらに、第２操作スイッチ１５１（図１０参照）および第２外部電源接続部１５３を備えている。
第２操作スイッチ１５１は、第２ハウジング１０３の第２回転部１１１の側面に備えられており、使用者の操作によりＯＮ状態またはＯＦＦ状態に設定される。第２外部電源接続部１５３は、第２ハウジング１０３の第２ベース部１１３の側面に形成されており、外部電源（ＡＣアダプタなど。図示省略。）と電気的に接続可能に構成されている。
【０１４４】
なお、第２レーザー光生成部１０９、バッテリパック５、第２操作スイッチ１５１、第２外部電源接続部１５３に関する電気的構成については、第１実施形態におけるレーザー光生成部９、バッテリパック５、操作スイッチ５１、外部電源接続部５３に関する電気的構成と同様であるため、説明を省略する。
【０１４５】
第２レーザー墨出し器１０１は、さらに、バッテリパック５の重量による転倒を抑制するために、第２レーザー墨出し器１０１の重心の位置を調整するための調整用錘（図示省略）を備えている。
【０１４６】
第２レーザー墨出し器１０１は、第２ハウジング１０３の第２ベース部１１３に、外部からの無線による指令信号を受信するための信号受信部１３５を備えている。信号受信部１３５は、第２ベース部１１３の第２板部１３１の側面に３個備えられている。具体的には、信号受信部１３５は、第２板部１３１の側面のうち３つの第２脚部１３３により区切られる３つの領域のそれぞれに備えられている。
【０１４７】
信号受信部１３５が受信する指令信号としては、例えば、レーザー光の射出状態（レーザー輝度、射出方向、レーザー光の消灯・点灯・点滅の切替、全方向射出と一部方向射出との切替など）に関する指令情報を含んだ指令信号が挙げられる。また、信号受信部１３
５が受信する無線による指令信号としては、赤外線通信に用いられる信号やBlueTooth（登録商標）通信に用いられる信号などが挙げられる。これにより、使用者は、無線による指令信号を出力するリモコン装置を用いることで、第２レーザー墨出し器１０１から離れた位置からでも、レーザー光の射出状態を選択・切替することが可能となる。
【０１４８】
そして、第２レーザー墨出し器１０１においては、第２パック装着部１０７は、自身の最下部が信号受信部１３５の最上部よりも高い位置に配置されるように構成されている。また、第２パック装着部１０７は、自身に装着されたときのバッテリパック５の最下部が信号受信部１３５の最上部よりも高い位置に配置されるように構成されている。これにより、外部からの無線による指令信号がバッテリパック５によって遮られることを抑制でき、信号受信部１３５において指令信号を適切に受信できる。
【０１４９】
［２−２．効果］
以上説明したように、第２実施形態の第２レーザー墨出し器１０１においては、第２ハウジング１０３は、第２ベース部１１３と第２回転部１１１とを備えており、第２パック装着部１０７は、第２ベース部１１３の側面に形成される構成である。
【０１５０】
第２ベース部１１３は、第２レーザー墨出し器１０１の設置場所に当接する。第２回転部１１１は、第２レーザー光生成部１０９のうち第２レーザー光射出部１２５を内部に収容し、第２水平レーザー光通過部１２１および第２鉛直レーザー光通過部１２３を備える。また、第２回転部１１１は、鉛直方向に延びる中心軸Ｌ１を中心として回転可能な状態で第２ベース部１１３の上側に固定されている。
【０１５１】
このように、第２ハウジング１０３が第２ベース部１１３と第２回転部１１１とを備えて構成されることで、第２回転部１１１の回転によりレーザー光の投射方向を容易に調整することができる。
【０１５２】
また、第２パック装着部１０７が第２ベース部１１３の側面に形成される構成であるため、第２レーザー墨出し器１０１の構成要素のうち相対的に重量の大きいバッテリパック５の設置位置が低くなり、第２レーザー墨出し器１０１の重心が低くなるため、転倒のリスクを低減できる。
【０１５３】
次に、第２レーザー墨出し器１０１においては、第２パック装着部１０７は、自身の最下部が信号受信部１３５の最上部よりも高い位置に配置されるように構成されている。また、第２パック装着部１０７は、自身に装着されたときのバッテリパック５の最下部が信号受信部１３５の最上部よりも高い位置に配置されるように構成されている。
【０１５４】
よって、第２レーザー墨出し器１０１によれば、外部からの無線による指令信号がバッテリパック５によって遮られることを抑制でき、信号受信部１３５において指令信号を適切に受信できる。
【０１５５】
［２−３．文言の対応関係］
ここで、文言の対応関係について説明する。
第２レーザー墨出し器１０１がレーザー墨出し器の一例に相当し、第２レーザー光生成部１０９がレーザー光生成部の一例に相当し、第２ハウジング１０３がハウジングの一例に相当し、第２パック装着部１０７がパック装着部の一例に相当する。
【０１５６】
第２ベース部１１３がベース部の一例に相当し、第２回転部１１１が回転部の一例に相当し、第２レーザー光射出部１２５がレーザー光射出部の一例に相当し、第２射出制御部１２７が射出制御部の一例に相当する。
【０１５７】
第２外部電源接続部１５３が外部電源接続部の一例に相当し、信号受信部１３５が信号受信部の一例に相当する。
［３．第３実施形態］
［３−１．全体構成］
次に、第３実施形態として、転倒を抑制するための補助支持部を備える第３レーザー墨出し器２０１について説明する。
【０１５８】
第３レーザー墨出し器２０１は、上述の第１実施形態のレーザー墨出し器１に対して補助支持部２１１が取付けられて構成されている。また、第３レーザー墨出し器２０１は、第１実施形態のバッテリパック５よりも定格容量の大きい大型バッテリパック１０５を備えている。そこで、以下の説明では、第３レーザー墨出し器２０１のうち、第１実施形態との相違点を中心に説明する。また、第３実施形態の構成のうち第１実施形態と同様の構成については、第１実施形態と同一符号を付して説明を省略する。
【０１５９】
図１１〜図１４に示すように、第３レーザー墨出し器２０１は、補助支持部２１１を備えている。
大型バッテリパック１０５は、第１実施形態のバッテリパック５と比べて、定格容量が大きく構成されている。このため、大型バッテリパック１０５は、バッテリパック５よりも、体積が大きく、重量が重い構成である。
【０１６０】
補助支持部２１１は、概略形状として角が尖ったＵ字形の部材であり、接地部２１３と、２つの延設部２１５と、を備える。接地部２１３は、Ｕ字形の底部に相当する部位を構成し、２つの延設部２１５は、それぞれＵ字形の２つの側部に相当する部位を構成する。補助支持部２１１は、Ｕ字形の開口側における２つの端部（換言すれば、２つの延設部２１５のうち接地部２１３とは反対側の端部）が、連結部２１７を介してハウジング３に回動可能に取り付けられている。
【０１６１】
接地部２１３は、２つの延設部２１５のそれぞれの端部を繋ぐ長尺形状に形成されており、その長さ寸法は使用者が手で掴むことが可能な寸法である。接地部２１３は、骨格としての内側部材（図示省略）と、内側部材を取り囲む被覆部材と、を備えて構成されている。内側部材は、硬質の樹脂材料（例えば、ＡＢＳ樹脂など）で構成されており、第３レーザー墨出し器２０１の重量に耐えられる剛性を有している。被覆材料は、弾性材料（例えば、ゴム、低反発ウレタン、低反発スポンジなど）で構成されており、地面などに衝突する際の衝撃を吸収できるとともに、地面に当設した際に滑り止め機能を発揮できる。つまり、接地部２１３は、自身の表面が弾性材料で形成されている。
【０１６２】
２つの延設部２１５は、それぞれ、２つの連結部２１７から接地部２１３にかけて延びるように形成されている。２つの延設部２１５は、それぞれ、硬質の樹脂材料（例えば、ＡＢＳ樹脂など）で構成されており、第３レーザー墨出し器２０１の重量に耐えられる剛性を有している。
【０１６３】
２つの連結部２１７は、それぞれ環状部２１７ａと、雄ネジ２１７ｂと、を備える。連結部２１７は、環状部２１７ａに設けられた孔に雄ネジ２１７ｂを挿通しつつ、雄ネジ２１７ｂをハウジング３に固定するように構成されている。これにより、２つの連結部２１７は、補助支持部２１１を回動可能な形態でハウジング３に連結している。
【０１６４】
２つの連結部２１７による補助支持部２１１の回動軸Ｌ２（図１３参照）は、水平方向であってパック装着部７のスライドレール４３（図２参照）に平行な方向に設定されている。中心軸Ｌ１の上側から平面視した場合のハウジング３における２つの連結部２１７の
位置（換言すれば、雄ネジ２１７ｂが固定される雌ネジ（図示省略）の形成位置）は、補助支持部２１１が図１２に示す位置（以下、支持位置ともいう）に固定されたときに、接地部２１３および２つの延設部２１５がハウジング３の側面のうち少なくともパック装着部７の形成領域を取り囲む状態となる位置である（図１３参照）。
【０１６５】
２つの連結部２１７は、ハウジング３の中心軸Ｌ１の上側から平面視したときに、ハウジング３のうち中心軸Ｌ１よりもパック装着部７に近い領域に回動軸Ｌ２が配置されるように（図１３参照）、ハウジング３における形成位置が定められている。また、２つの連結部２１７は、側面から見たときに、ハウジング３のうち第３レーザー墨出し器２０１の重心ＧＣ（図１２参照）よりも高い位置に回動軸Ｌ２が配置されるように、ハウジング３における形成位置が定められている。
【０１６６】
図１４に示すように、補助支持部２１１は、連結部２１７（回動軸Ｌ２）を中心として回動することで、接地部２１３が少なくとも図中の最下位置（点線で記載した位置。支持位置に相当する。）から図中の最高位置（実線で記載した位置。）を介してハウジング３の正面側の所定位置（図示省略）までの範囲を移動できるように構成されている。
【０１６７】
補助支持部２１１は、予め備えられる位置決め部（図示省略）により、回動可能範囲のうち少なくとも支持位置で仮固定（位置決め）されるように構成されている。位置決め部は、例えば、補助支持部２１１（詳細には、環状部２１７ａ）およびハウジング３のそれぞれが互いに接する（対向する）部位のうち回動軸Ｌ２を中心とする周方向の所定位置において、一方に角の丸い凸部が形成されるとともに、他方にその凸部と嵌合可能な凹部が形成される構成であってもよい。凸部と凹部とが互いに嵌合することで、ハウジング３に対する補助支持部２１１の回動方向の移動が制限されて、補助支持部２１１を支持位置で仮固定（位置決め）できる構成であってもよい。なお、凸部は、突出寸法が一定となる固定形態であってもよいし、スプリングなどによって突出寸法が可変となる形態であってもよい。
【０１６８】
補助支持部２１１が支持位置に配置（仮固定）されたときには、接地部２１３は、パック装着部７よりも低い領域に配置されるとともに、３つの脚部３３に当接する地面ＧＮＤに対して隙間Ｇ１（図１２参照）を介して配置されるように構成される。
【０１６９】
なお、３つの脚部３３は、それぞれ第３レーザー墨出し器２０１の設置場所に当接するためにハウジング３（板部３１）の底部に設けられており、それぞれ独立して長さ寸法を変更可能（伸縮可能）に構成されている。これにより、第３レーザー墨出し器２０１の設置場所に傾きや段差などが存在する場合でも、３つの脚部３３の長さ寸法を調整することで、中心軸Ｌ１が鉛直方向となるように第３レーザー墨出し器２０１の姿勢を調整できる。図１２では、３つの脚部３３のそれぞれが最短状態であるときの第３レーザー墨出し器２０１を示している。
【０１７０】
図１２に示すように、第３実施形態では、補助支持部２１１は、３つの脚部３３が最短状態であるときの地面ＧＮＤ（仮想地面）と、第３レーザー墨出し器２０１が傾いた時の接地面（脚部３３の先端と補助支持部２１１の先端とに接する仮想面）との間の補助角度θ１が予め定められた範囲内（例えば、１０〜２０度の範囲内）で設定されている。なお、第３レーザー墨出し器２０１は、自身の傾き角度が予め定められた報知角度θｔｈ（例えば、２〜３度）以上になるとレーザー出力を点滅状態に制御することで、傾いた状態であることを使用者に対して報知する機能を有している。
【０１７１】
つまり、第３レーザー墨出し器２０１は、補助角度θ１が報知角度θｔｈよりも大きくなるように、補助支持部２１１における接地部２１３の形状および延設部２１５の形状が
定められている。これにより、第３レーザー墨出し器２０１は、補助支持部２１１で支持された状態になると、必ずレーザー出力を点滅状態に制御することになり、その結果、自身が傾いた状態であることを確実に使用者に報知することができる。
【０１７２】
また、第３実施形態では、補助支持部２１１は、３つの脚部３３が最短状態であるときの地面ＧＮＤ（仮想地面）に対する隙間Ｇ１が使用者の手が入る大きさとなるように、接地部２１３の形状および延設部２１５の形状が定められている。
【０１７３】
次に、補助支持部２１１は、図１５に示すように、支持位置に配置（仮固定）されたときには、ハウジング３の中心軸Ｌ１の上側から平面視した場合において、接地部２１３のうち少なくとも一部と中心軸Ｌ１とを結ぶ仮想線分Ｌ３がパック装着部７と交差するように、接地部２１３が配置される構成である。なお、図１５では、接地部２１３の配置領域およびパック装着部７の形成領域をそれぞれ網がけ図柄で表している。また、図１５では、接地部２１３のうち部位２１３ａと中心軸Ｌ１とを結ぶ線分を仮想線分Ｌ３の一例として記載している。仮想線分Ｌ３は、少なくとも接地部２１３の一部を通る仮想線分であり、図１５に示す範囲Ｃ３において任意の位置に想定できる線分である。図１５に示すように、第３レーザー墨出し器２０１においては、仮想線分Ｌ３が必ずパック装着部７の形成領域と交差するように、補助支持部２１１が構成されている。
【０１７４】
つまり、補助支持部２１１は、回動可能に構成されており、回動可能範囲のうち支持位置に仮固定されると、仮想線分Ｌ３がパック装着部７と交差するように接地部２１３が配置されるとともに、接地部２１３がパック装着部７よりも低い領域において地面ＧＮＤ（仮想地面）に対して隙間Ｇ１を介して配置されるように構成されている。
【０１７５】
また、補助支持部２１１は、接地部２１３が回動可能範囲のうちハウジング３よりも上側に配置された場合に、接地部２１３を使用者がつかむための持ち手部として使用可能に構成されている。つまり、第３レーザー墨出し器２０１は、使用者が接地部２１３を持ち手部として使用することで運搬可能に構成されている。
【０１７６】
上述のように、補助支持部２１１の接地部２１３は、支持位置に固定されることで転倒を抑制する機能を発揮するとともに、ハウジング３よりも上側に配置されることで持ち手部としての機能を発揮するように構成されている。
【０１７７】
［３−２．効果］
以上説明したように、第３実施形態の第３レーザー墨出し器２０１においては、補助支持部２１１が回動による移動が可能な形態でハウジング３に取り付けられている。
【０１７８】
補助支持部２１１は、自身の移動可能範囲のうち予め定められた支持位置に仮固定（位置決め）されることで、仮想線分Ｌ３がパック装着部７と交差するように接地部２１３が配置されるとともに、接地部２１３がパック装着部７よりも低い領域において地面ＧＮＤ（仮想地面）に対して隙間Ｇ１を介して配置される構成である。
【０１７９】
このような補助支持部２１１を備える第３レーザー墨出し器２０１は、パック装着部７に装着した大型バッテリパック１０５の重量によって重心が大型バッテリパック１０５側に偏り傾いたとしても、完全に転倒する前に、補助支持部２１１（詳細には、接地部２１３）が地面ＧＮＤに当接して第３レーザー墨出し器２０１を支持することができる。
【０１８０】
よって、第３レーザー墨出し器２０１によれば、補助支持部２１１を備えることで、重量の重い大型バッテリパック１０５を装着した場合であっても転倒を抑制できる。
また、第３レーザー墨出し器２０１は、回動可能に構成された補助支持部２１１を備え
ることで、使用状況に応じて、補助支持部２１１を支持位置に固定する場合と固定しない場合とを切り替え可能に構成されている。例えば、第３レーザー墨出し器２０１の使用時には、補助支持部２１１を支持位置に固定することで、転倒を抑制できる。あるいは、第３レーザー墨出し器２０１の未使用時（運搬時、保管時）には、補助支持部２１１が支持位置とは異なる位置で自由に移動可能（回動可能）な状態となることで、運搬または保管に適した状態での使用が可能となる。
【０１８１】
次に、第３レーザー墨出し器２０１においては、補助支持部２１１は、使用者がつかむための持ち手部として利用可能な接地部２１３を備えている。このように、補助支持部２１１が持ち手部として利用可能な接地部２１３を備えることで、補助支持部（転倒抑制のための部材）と持ち手部（使用者がつかむための部材）とを別々に備える必要が無くなり、第３レーザー墨出し器２０１を構成する部品点数の増加を抑制できる。
【０１８２】
とりわけ、補助支持部２１１は、接地部２１３がハウジングの上端よりも高い領域に移動可能に構成されるとともに、「転倒抑制のために地面に当接する部材」と「持ち手部（使用者がつかむための部材）」とが同一部位（接地部２１３）で構成されている。このような構成を採ることで、「転倒抑制のために地面に当接する部材」と「持ち手部（使用者がつかむための部材）」とを異なる部位に形成する場合に比べて、補助支持部２１１の大型化を抑制できる。
【０１８３】
次に、第３レーザー墨出し器２０１においては、補助支持部２１１は、２つの連結部２１７（環状部２１７ａ、雄ネジ２１７ｂ）を介してハウジング３の側面に取り付けられるとともに、２つの連結部２１７を中心として回動可能に構成されている。中心軸Ｌ１の上側から平面視した場合のハウジング３における２つの連結部２１７の位置は、補助支持部２１１が支持位置に固定されたときに、接地部２１３および２つの延設部２１５がハウジング３の側面のうち少なくともパック装着部７の形成領域を取り囲む状態となる位置である。
【０１８４】
このような第３レーザー墨出し器２０１は、補助支持部２１１が２つの連結部２１７を介してハウジング３の側面に取り付けられる構成であるため、１つの連結部を介して取り付けられる構成に比べて、第３レーザー墨出し器２０１の重量が重くなる場合でも補助支持部２１１を用いて吊り上げることができる。これにより、重量の重い第３レーザー墨出し器２０１であっても、使用者は補助支持部２１１の接地部２１３（このときは、持ち手部に相当する）を掴んでこの第３レーザー墨出し器２０１を安定して運搬することができる。
【０１８５】
また、この第３レーザー墨出し器２０１は、ハウジング３における２つの連結部２１７の位置が上記のように定められることで、接地部２１３がパック装着部７よりも低い領域に移動するように補助支持部２１１を回動することで、所定条件が満たされるように接地部２１３を配置することを容易に実現できる。所定条件とは、仮想線分Ｌ３がパック装着部７と交差するように接地部２１３を配置すること、および、パック装着部７よりも低い領域において地面ＧＮＤ（仮想地面）に対して隙間Ｇ１を介する位置に接地部２１３を配置することである。補助支持部２１１の接地部２１３がこのような位置に配置されることで、第３レーザー墨出し器２０１の転倒を抑制できる。
【０１８６】
次に、第３レーザー墨出し器２０１においては、連結部２１７（回動軸Ｌ２）は、ハウジング３のうち第３レーザー墨出し器２０１の重心ＧＣよりも高い位置に形成されている（図１２参照）。
【０１８７】
このような第３レーザー墨出し器２０１においては、使用者が接地部２１３（持ち手部
に相当する）をつかんでこの第３レーザー墨出し器２０１を持ち上げたときに、重心ＧＣが連結部２１７よりも低い位置となるため、第３レーザー墨出し器２０１のうち補助支持部２１１を除いた本体部分が安定した状態となる。このため、接地部２１３を掴んで第３レーザー墨出し器２０１を持ち上げたときに、補助支持部２１１を除いた本体部分が回動して上下反転することを抑制でき、安定した状態で第３レーザー墨出し器２０１を持ち運ぶことができる。
【０１８８】
次に、第３レーザー墨出し器２０１においては、補助支持部２１１の接地部２１３は、自身の表面が弾性材料で形成される構成である。
このような構成の補助支持部２１１を備えることで、第３レーザー墨出し器２０１が傾いて接地部２１３が地面ＧＮＤに当設した際に、接地部２１３のうち弾性材料で形成された部分が滑り止め機能を発揮するため、第３レーザー墨出し器２０１がより転倒し難くなる。また、接地部２１３を持ち手部として使用される場合には、接地部２１３（換言すれば、持ち手部）の表面が弾性材料で形成されることで、使用者が接地部２１３（持ち手部）を掴んで第３レーザー墨出し器２０１を運搬する際に、接地部２１３が滑って第３レーザー墨出し器２０１が落下することを抑制できる。
【０１８９】
［３−３．文言の対応関係］
ここで、文言の対応関係について説明する。
第３レーザー墨出し器２０１がレーザー墨出し器の一例に相当し、脚部３３が脚部の一例に相当し、補助支持部２１１が補助支持部の一例に相当し、接地部２１３が「同一部位に形成された接地部および持ち手部」の一例に相当し、延設部２１５が延設部の一例に相当し、連結部２１７が連結部の一例に相当する。
【０１９０】
［４．第４実施形態］
［４−１．全体構成］
次に、第４実施形態として、転倒を抑制するための補助支持部を備える第４レーザー墨出し器３０１について説明する。
【０１９１】
第４レーザー墨出し器３０１は、上述の第３実施形態の第３レーザー墨出し器２０１において、補助支持部２１１を第２補助支持部３１１に置き換えて構成されている。そこで、以下の説明では、第４レーザー墨出し器３０１のうち、第３実施形態との相違点を中心に説明する。また、第４実施形態の構成のうち第３実施形態と同様の構成については、第３実施形態と同一符号を付して説明を省略する。
【０１９２】
図１６〜図１９に示すように、第４レーザー墨出し器３０１は、第２補助支持部３１１を備えている。
第２補助支持部３１１は、概略形状としてＬ字形の部材であり、接地部３１３と、１つの延設部３１５と、を備える。換言すれば、第２補助支持部３１１は、補助支持部２１１において、２つの延設部２１５のうち一方を削除し、他方の延設部２１５をより太い形状の延設部３１５（図１７参照）に置き換えた構成である。延設部３１５は、延設部２１５に比べて、太く形成されることで耐荷重が大きく形成されており、１本でも、転倒抑制のために第４レーザー墨出し器３０１を支える用途や第４レーザー墨出し器３０１を運搬する用途に使用可能に構成されている。
【０１９３】
第２補助支持部３１１は、延設部３１５の端部が連結部３１７（環状部３１７ａ、雄ネジ３１７ｂ（回動軸Ｌ２））を介してハウジング３に回動可能に取り付けられている。つまり、第２補助支持部３１１は、回動可能な形態で、１つの連結部３１７を介してハウジング３に取り付けられている。
【０１９４】
第２補助支持部３１１は、連結部３１７（回動軸Ｌ２）を中心として回動することで、接地部３１３が少なくとも最下位置（図１８に示す位置。以下、支持位置ともいう。）から最高位置（図１９に示す位置。）を介してハウジング３の正面側の所定位置（図示省略）までの範囲を移動できるように構成されている。
【０１９５】
第２補助支持部３１１は、補助支持部２１１と同様に、予め備えられる位置決め部（図示省略）により、回動可能範囲のうち少なくとも支持位置で仮固定（位置決め）されるように構成されている。
【０１９６】
第２補助支持部３１１が支持位置に配置（仮固定）されたときには、接地部３１３は、パック装着部７よりも低い領域に配置されるとともに、３つの脚部３３に当接する地面ＧＮＤに対して隙間Ｇ１（図１７参照）を介して配置されるように構成される。
【０１９７】
次に、第２補助支持部３１１は、支持位置に配置（仮固定）されたときには、ハウジング３の中心軸Ｌ１の上側から平面視した場合において、接地部３１３のうち少なくとも一部と中心軸Ｌ１とを結ぶ仮想線分Ｌ３がパック装着部７と交差するように、接地部３１３が配置される構成である。なお、この状態を示す図面は省略するが、第２補助支持部３１１の接地部３１３、パック装着部７、中心軸Ｌ１、仮想線分Ｌ３のそれぞれの配置状態は、図１５に示す補助支持部２１１の接地部２１３、パック装着部７、中心軸Ｌ１、仮想線分Ｌ３のそれぞれの配置状態と同様である。
【０１９８】
つまり、第２補助支持部３１１は、補助支持部２１１と同様に、回動可能に構成されており、回動可能範囲のうち支持位置に仮固定されると、仮想線分Ｌ３がパック装着部７と交差するように接地部３１３が配置されるとともに、接地部３１３がパック装着部７よりも低い領域において地面ＧＮＤ（仮想地面）に対して隙間Ｇ１を介して配置されるように構成されている。
【０１９９】
次に、図１６から分かるように、ハウジング３における連結部３１７の位置は、第２補助支持部３１１の回動時における接地部３１３および延設部３１５の移動領域が、パック装着部７への着脱作業時における大型バッテリパック１０５の移動領域に重ならない位置に設定されている。
【０２００】
また、第２補助支持部３１１は、接地部３１３が回動可能範囲のうちハウジング３よりも上側に配置された場合に、接地部３１３を使用者がつかむための持ち手部として使用可能に構成されている。つまり、第４レーザー墨出し器３０１は、使用者が接地部３１３を持ち手部として使用することで運搬可能に構成されている。
【０２０１】
上述のように、第２補助支持部３１１の接地部３１３は、支持位置に固定されることで転倒を抑制する機能を発揮するとともに、ハウジング３よりも上側に配置されることで持ち手部としての機能を発揮するように構成されている。
【０２０２】
［４−２．効果］
以上説明したように、第４実施形態の第４レーザー墨出し器３０１においては、第２補助支持部３１１が回動による移動が可能な形態でハウジング３に取り付けられている。
【０２０３】
このような第２補助支持部３１１を備える第４レーザー墨出し器３０１は、第３レーザー墨出し器２０１と同様に、パック装着部７に装着した大型バッテリパック１０５の重量によって重心が大型バッテリパック１０５側に偏り傾いたとしても、完全に転倒する前に、第２補助支持部３１１（詳細には、接地部３１３）が地面ＧＮＤに当接して第４レーザー墨出し器３０１を支持することができる。
【０２０４】
また、第４レーザー墨出し器３０１は、回動可能に構成された第２補助支持部３１１を備えることで、使用状況に応じて、補助支持部２１１を支持位置に固定する場合と固定しない場合とを切り替え可能に構成されている。
【０２０５】
次に、第４レーザー墨出し器３０１においては、第２補助支持部３１１は、使用者がつかむための持ち手部として利用可能な接地部３１３を備えている。このように、第２補助支持部３１１が持ち手部として利用可能な接地部３１３を備えることで、補助支持部（転倒抑制のための部材）と持ち手部（使用者がつかむための部材）とを別々に備える必要が無くなり、第４レーザー墨出し器３０１を構成する部品点数の増加を抑制できる。
【０２０６】
次に、第４レーザー墨出し器３０１においては、第２補助支持部３１１は、１つの連結部３１７（環状部３１７ａ、雄ネジ３１７ｂ）を介してハウジング３の側面に取り付けられるとともに、連結部３１７（回動軸Ｌ２）を中心として回動可能に構成されている。
【０２０７】
ハウジング３における連結部３１７の位置は、第２補助支持部３１１の回動時における接地部３１３および延設部３１５の移動領域が、パック装着部７への着脱作業時における大型バッテリパック１０５の移動領域に重ならない位置である。
【０２０８】
このような第４レーザー墨出し器３０１においては、第２補助支持部３１１が１つの連結部３１７を介してハウジング３の側面に取り付けられる構成であるため、２つの連結部を介して取り付けられる構成に比べて、第２補助支持部３１１の回動時における接地部３１３および延設部３１５の移動領域が小さくなる。このため、接地部３１３および延設部３１５の移動領域が大型バッテリパック１０５の移動領域に重ならないようにしつつ、ハウジング３における連結部３１７の位置（換言すれば、雄ネジ３１７ｂが固定される雌ネジ（図示省略）の形成位置）を決定するにあたり、連結部３１７の位置の自由度が広がる。
【０２０９】
［４−３．文言の対応関係］
ここで、文言の対応関係について説明する。
第４レーザー墨出し器３０１がレーザー墨出し器の一例に相当し、第２補助支持部３１１が補助支持部の一例に相当し、接地部３１３が「同一部位に形成された接地部および持ち手部」の一例に相当し、延設部３１５が延設部の一例に相当し、連結部３１７が連結部の一例に相当する。
【０２１０】
［５．第５実施形態］
［５−１．全体構成］
次に、第５実施形態として、転倒を抑制するための補助支持部を備える第５レーザー墨出し器４０１について説明する。
【０２１１】
第５レーザー墨出し器４０１は、上述の第４実施形態の第４レーザー墨出し器３０１において、第２補助支持部３１１を第３補助支持部４１１に置き換えて構成されている。そこで、以下の説明では、第５レーザー墨出し器４０１のうち、第４実施形態との相違点を中心に説明する。また、第５実施形態の構成のうち第４実施形態と同様の構成については、第４実施形態と同一符号を付して説明を省略する。
【０２１２】
図２０〜図２２に示すように、第５レーザー墨出し器４０１は、第３補助支持部４１１を備えている。
第３補助支持部４１１は、概略形状として角が尖ったＵ字形の部材であり、接地部４１３と、２つの延設部（硬質延設部４１５、軟質延設部４１６）と、を備える。換言すれば
、第３補助支持部４１１は、第２補助支持部３１１に対して軟質延設部４１６を追加した構成である。つまり、接地部４１３は接地部３１３に対応し、延設部３１５は硬質延設部４１５に対応する。
【０２１３】
硬質延設部４１５および軟質延設部４１６は、それぞれ、異なる連結部４１７（環状部４１７ａ、雄ネジ４１７ｂ（回動軸Ｌ２））から接地部４１３にかけて延びるように形成されている。硬質延設部４１５は、弾性変形しない硬質の樹脂材料（例えば、ＡＢＳ樹脂など）で構成されており、第５レーザー墨出し器４０１の重量に耐えられる剛性を有している。軟質延設部４１６は、弾性変形可能な軟質材料（例えば、ゴムなど）で構成されている。軟質延設部４１６は、硬質延設部４１５に比べて、厚さ寸法が小さく形成されている（図２０，２２参照）とともに。幅寸法が小さく形成されている（図２１参照）。
【０２１４】
軟質延設部４１６は、第３補助支持部４１１の回動時における自身の移動軌跡が大型バッテリパック１０５の着脱時移動領域と重なる位置に配置され、硬質延設部４１５は、第３補助支持部４１１の回動時における自身の移動軌跡が大型バッテリパック１０５の着脱時移動領域と重ならない位置に配置される。
【０２１５】
第３補助支持部４１１が支持位置（図２０および図２１に示す位置）に配置（仮固定）されたときには、接地部４１３は、パック装着部７よりも低い領域に配置されるとともに、３つの脚部３３に当接する地面ＧＮＤに対して隙間Ｇ１（図２１参照）を介して配置されるように構成される。
【０２１６】
また、第３補助支持部４１１は、接地部４１３が回動可能範囲のうちハウジング３よりも上側に配置された場合に、接地部４１３を使用者がつかむための持ち手部として使用可能に構成されている（図２２参照）。
【０２１７】
［５−２．効果］
以上説明したように、第５実施形態の第５レーザー墨出し器４０１においては、第３補助支持部４１１が回動による移動が可能な形態でハウジング３に取り付けられている。
【０２１８】
このような第３補助支持部４１１を備える第５レーザー墨出し器４０１は、第４レーザー墨出し器３０１と同様に、パック装着部７に装着した大型バッテリパック１０５の重量によって重心がバッテリパック側に偏り傾いたとしても、完全に転倒する前に、第３補助支持部４１１（詳細には、接地部４１３）が地面ＧＮＤに当接して第５レーザー墨出し器４０１を支持することができる。
【０２１９】
次に、第５レーザー墨出し器４０１は、異なる材料で形成された２つの延設部（硬質延設部４１５、軟質延設部４１６）を有する第３補助支持部４１１を備えている。
そして、軟質延設部４１６は、第３補助支持部４１１の回動時における自身の移動軌跡が大型バッテリパック１０５の着脱時移動領域と重なる位置に配置され、硬質延設部４１５は、第３補助支持部４１１の回動時における自身の移動軌跡が大型バッテリパック１０５の着脱時移動領域と重ならない位置に配置される。
【０２２０】
この第５レーザー墨出し器４０１においては、軟質延設部４１６が弾性変形可能であるため、大型バッテリパック１０５を着脱する際に、軟質延設部４１６と大型バッテリパック１０５とが干渉しても、軟質延設部４１６が弾性変形することで大型バッテリパック１０５の着脱作業を継続することができる。
【０２２１】
［５−３．文言の対応関係］
ここで、文言の対応関係について説明する。
第５レーザー墨出し器４０１がレーザー墨出し器の一例に相当し、第３補助支持部４１１が補助支持部の一例に相当し、接地部４１３が「同一部位に形成された接地部および持ち手部」の一例に相当し、硬質延設部４１５が硬質延設部の一例に相当し、軟質延設部４１６が軟質延設部の一例に相当し、連結部４１７が連結部の一例に相当する。
【０２２２】
［６．第６実施形態］
［６−１．全体構成］
次に、第６実施形態として、転倒を抑制するための補助支持部を備える第６レーザー墨出し器５０１について説明する。
【０２２３】
第６レーザー墨出し器５０１は、上述の第１実施形態のレーザー墨出し器１に対して固定型補助支持部５１１が取付けられて構成されている。また、第６レーザー墨出し器５０１は、第１実施形態のバッテリパック５よりも定格容量の大きい大型バッテリパック１０５を備えている。そこで、以下の説明では、第６レーザー墨出し器５０１のうち、第１実施形態との相違点を中心に説明する。また、第６実施形態の構成のうち第１実施形態と同様の構成については、第１実施形態と同一符号を付して説明を省略する。
【０２２４】
図２３〜図２５に示すように、第６レーザー墨出し器５０１は、固定型補助支持部５１１を備えている。
固定型補助支持部５１１は、接地部５１３と、１つの延設部５１５と、を備える。
【０２２５】
接地部５１３は、角が削られた四角柱形状であり、弾性材料（例えば、ゴム、低反発ウレタン、低反発スポンジなど）で構成されている。
延設部５１５は、長手方向に延びる板型部材を途中で折り曲げた形状であり（図２３，図２４参照）、弾性変形しない硬質の樹脂材料（例えば、ＡＢＳ樹脂など）で構成されている。延設部５１５は、長手方向における一端がハウジング３のうちパック装着部７の下側に固定されており、他端（先端）が接地部５１３に接続されている。
【０２２６】
固定型補助支持部５１１は、接地部５１３がパック装着部７よりも低い領域に配置されるとともに、接地部５１３が３つの脚部３３に当接する地面ＧＮＤに対して隙間Ｇ１（図２４参照）を介して配置されるように構成される。
【０２２７】
次に、固定型補助支持部５１１は、図２５に示すように、ハウジング３の中心軸Ｌ１の上側から平面視した場合において、接地部５１３のうち少なくとも一部と中心軸Ｌ１とを結ぶ仮想線分Ｌ３がパック装着部７と交差するように構成されている。なお、図２５では、接地部５１３の配置領域およびパック装着部７の形成領域をそれぞれ網がけ図柄で表している。また、図２５では、接地部５１３のうち部位５１３ａと中心軸Ｌ１とを結ぶ線分を仮想線分Ｌ３の一例として記載している。仮想線分Ｌ３は、少なくとも接地部５１３の一部を通る仮想線分であり、図２５に示す範囲Ｃ３において任意の位置に想定できる線分である。
【０２２８】
［６−２．効果］
以上説明したように、第６実施形態の第６レーザー墨出し器５０１においては、固定型補助支持部５１１がハウジング３に取り付けられている。
【０２２９】
固定型補助支持部５１１は、仮想線分Ｌ３がパック装着部７と交差するように接地部５１３が配置されるとともに、接地部５１３がパック装着部７よりも低い領域において地面ＧＮＤ（仮想地面）に対して隙間Ｇ１を介して配置される構成である。
【０２３０】
このような固定型補助支持部５１１を備える第６レーザー墨出し器５０１は、パック装
着部７に装着した大型バッテリパック１０５の重量によって重心がバッテリパック側に偏り傾いたとしても、完全に転倒する前に、固定型補助支持部５１１（詳細には、接地部５１３）が地面ＧＮＤに当接して第６レーザー墨出し器５０１を支持することができる。
【０２３１】
次に、第６レーザー墨出し器５０１においては、固定型補助支持部５１１は、パック装着部７よりも下側の領域に備えられる構成である。
このような構成の固定型補助支持部５１１は、自身の少なくとも一部がパック装着部７よりも上側の領域にも配置される他の構成に比べて、自身の長さ寸法（換言すれば、接地部５１３からハウジング３との接続端部までの寸法。接地部５１３および延設部５１５の合計寸法。）を短くすることができる。このため、固定型補助支持部５１１の材料費を低減できるとともに、第６レーザー墨出し器５０１の製造コストの上昇を抑制できる。
【０２３２】
また、このような構成の固定型補助支持部５１１は、パック装着部７と同じ高さの領域およびパック装着部７よりも上側の領域には配置されないため、大型バッテリパック１０５の着脱作業の際に大型バッテリパック１０５との干渉が生じがたくなる。
【０２３３】
［６−３．文言の対応関係］
ここで、文言の対応関係について説明する。
第６レーザー墨出し器５０１がレーザー墨出し器の一例に相当し、固定型補助支持部５１１が補助支持部の一例に相当し、接地部５１３が接地部の一例に相当し、延設部５１５が延設部の一例に相当する。
【０２３４】
［７．第７実施形態］
［７−１．全体構成］
次に、第７実施形態として、転倒を抑制するための補助支持部を備える第７レーザー墨出し器６０１について説明する。
【０２３５】
第７レーザー墨出し器６０１は、上述の第２実施形態のレーザー墨出し器１０１に対して第２固定型補助支持部６１１が取付けられて構成されている。また、第７レーザー墨出し器６０１は、第２実施形態のバッテリパック５よりも定格容量の大きい大型バッテリパック１０５を備えている。そこで、以下の説明では、第７レーザー墨出し器６０１のうち、第２実施形態との相違点を中心に説明する。また、第７実施形態の構成のうち第２実施形態と同様の構成については、第２実施形態と同一符号を付して説明を省略する。
【０２３６】
図２６〜図２７に示すように、第７レーザー墨出し器６０１は、第２固定型補助支持部６１１を備えている。
第２固定型補助支持部６１１は、接地部６１３と、１つの延設部６１５と、を備える。
【０２３７】
接地部６１３は、角が削られた四角柱形状であり、弾性材料（例えば、ゴム、低反発ウレタン、低反発スポンジなど）で構成されている。
延設部６１５は、長手方向に延びる板型部材を途中で折り曲げた形状であり（図２６，図２７参照）、弾性変形しない硬質の樹脂材料（例えば、ＡＢＳ樹脂など）で構成されている。延設部６１５は、長手方向における一端が第２ハウジング１０３のうち第２パック装着部１０７の下側に固定されており、他端（先端）が接地部６１３に接続されている。
【０２３８】
第２固定型補助支持部６１１は、接地部６１３が第２パック装着部１０７よりも低い領域に配置されるとともに、接地部６１３が３つの脚部３３に当接する地面ＧＮＤに対して隙間Ｇ１（図２７参照）を介して配置されるように構成される。
【０２３９】
次に、第２固定型補助支持部６１１は、第２ハウジング１０３の中心軸Ｌ１の上側から
平面視した場合において、接地部６１３のうち少なくとも一部と中心軸Ｌ１とを結ぶ仮想線分Ｌ３が第２パック装着部１０７と交差するように構成されている。なお、この状態を示す図面は省略するが、第２固定型補助支持部６１１の接地部６１３、第２パック装着部１０７、中心軸Ｌ１、仮想線分Ｌ３のそれぞれの配置状態は、図２５に示す固定型補助支持部５１１の接地部５１３、パック装着部７、中心軸Ｌ１、仮想線分Ｌ３のそれぞれの配置状態と同様である。
【０２４０】
［７−２．効果］
以上説明したように、第６実施形態の第６レーザー墨出し器５０１においては、固定型補助支持部５１１がハウジング３に取り付けられている。
【０２４１】
固定型補助支持部５１１は、仮想線分Ｌ３がパック装着部７と交差するように接地部５１３が配置されるとともに、接地部５１３がパック装着部７よりも低い領域において地面ＧＮＤ（仮想地面）に対して隙間Ｇ１を介して配置される構成である。
【０２４２】
このような固定型補助支持部５１１を備える第６レーザー墨出し器５０１は、パック装着部７に装着した大型バッテリパック１０５の重量によって重心がバッテリパック側に偏り傾いたとしても、完全に転倒する前に、固定型補助支持部５１１（詳細には、接地部５１３）が地面ＧＮＤに当接して第６レーザー墨出し器５０１を支持することができる。
【０２４３】
次に、第６レーザー墨出し器５０１においては、固定型補助支持部５１１は、パック装着部７よりも下側の領域に備えられる構成である。
このような構成の固定型補助支持部５１１は、自身の少なくとも一部がパック装着部７よりも上側の領域にも配置される他の構成に比べて、自身の長さ寸法（換言すれば、接地部５１３からハウジング３との接続端部までの寸法。接地部５１３および延設部５１５の合計寸法。）を短くすることができる。このため、固定型補助支持部５１１の材料費を低減できるとともに、第６レーザー墨出し器５０１の製造コストの上昇を抑制できる。
【０２４４】
また、このような構成の固定型補助支持部５１１は、パック装着部７と同じ高さの領域およびパック装着部７よりも上側の領域には配置されないため、大型バッテリパック１０５の着脱作業の際に大型バッテリパック１０５との干渉が生じがたくなる。
【０２４５】
［７−３．文言の対応関係］
ここで、文言の対応関係について説明する。
第７レーザー墨出し器６０１がレーザー墨出し器の一例に相当し、第２固定型補助支持部６１１が補助支持部の一例に相当し、接地部６１３が接地部の一例に相当し、延設部６１５が延設部の一例に相当する。
【０２４６】
［８．第８実施形態］
［８−１．全体構成］
次に、第８実施形態として、転倒を抑制するための補助支持部を備える第８レーザー墨出し器７０１について説明する。
【０２４７】
第８レーザー墨出し器７０１は、上述の第１実施形態のレーザー墨出し器１に対してスライド型補助支持部７１１が取付けられて構成されている。また、第８レーザー墨出し器７０１は、第１実施形態のバッテリパック５よりも定格容量の大きい大型バッテリパック１０５を備えている。そこで、以下の説明では、第８レーザー墨出し器７０１のうち、第１実施形態との相違点を中心に説明する。また、第８実施形態の構成のうち第１実施形態と同様の構成については、第１実施形態と同一符号を付して説明を省略する。
【０２４８】
図２８〜図３１に示すように、第８レーザー墨出し器７０１は、スライド型補助支持部７１１を備えている。
図２８に示すように、スライド型補助支持部７１１は、接地部７１３と、持ち手部７１４と、２つの接地用延設部７１５と、２つの長孔部７１７ａと、２つの持ち手用延設部７１９と、を備える。
【０２４９】
スライド型補助支持部７１１は、接地部７１３と、持ち手部７１４と、２つの接地用延設部７１５と、２つの長孔部７１７ａと、２つの持ち手用延設部７１９と、を備える。
スライド型補助支持部７１１のうち接地部７１３および２つの接地用延設部７１５を備える部分は、概略形状として角が尖ったＵ字形の部材である。接地部７１３は、Ｕ字形の底部に相当する部位を構成し、２つの接地用延設部７１５は、それぞれＵ字形の２つの側部に相当する部位を構成する。２つの接地用延設部７１５のうち接地部７１３とは反対側の端部は、長孔部７１７ａに繋がっている。
【０２５０】
また、スライド型補助支持部７１１のうち持ち手部７１４および２つの持ち手用延設部７１９を備える部分は、概略形状として角が尖ったＵ字形の部材である。持ち手部７１４は、Ｕ字形の底部に相当する部位を構成し、２つの持ち手用延設部７１９は、それぞれＵ字形の２つの側部に相当する部位を構成する。２つの持ち手用延設部７１９のうち持ち手部７１４とは反対側の端部は、長孔部７１７ａに繋がっている。
【０２５１】
接地部７１３および持ち手部７１４は、第３実施形態の接地部２１３と同様の構成であるため、説明を省略する。
２つの接地用延設部７１５は、それぞれ、２つの長孔部７１７ａから接地部７１３にかけて延びるように形成されている。２つの持ち手用延設部７１９は、それぞれ、２つの長孔部７１７ａから持ち手部７１４にかけて延びるように形成されている。２つの接地用延設部７１５および２つの持ち手用延設部７１９は、それぞれ、硬質の樹脂材料（例えば、ＡＢＳ樹脂など）で構成されており、第８レーザー墨出し器７０１の重量に耐えられる剛性を有している。
【０２５２】
２つの長孔部７１７ａは、長孔を有する部分であり、接地用延設部７１５および持ち手用延設部７１９と同様に、硬質の樹脂材料で構成されている。長孔部７１７ａは、連結部７１７の一部を構成する。
【０２５３】
スライド型補助支持部７１１は、２つの連結部７１７を介してハウジング３に摺動可能（スライド可能）に取り付けられている。
２つの連結部７１７は、それぞれ、長孔部７１７ａと、雄ネジ７１７ｂと、を備える。連結部７１７は、長孔部７１７ａに設けられた長孔に雄ネジ７１７ｂを挿通しつつ、雄ネジ７１７ｂをハウジング３（詳細には、雌ネジ）に固定するように構成されている。これにより、２つの連結部７１７は、スライド型補助支持部７１１を摺動可能な形態でハウジング３に連結している。
【０２５４】
接地部７１３は、スライド型補助支持部７１１のうち連結部７１７（詳細には、長孔部７１７ａ）よりも低い位置に形成される。持ち手部７１４は、スライド型補助支持部７１１のうち連結部７１７（詳細には、長孔部７１７ａ）よりも高い位置に形成される。
【０２５５】
ハウジング３は、２つの雄ネジ７１７ｂが固定される２つの雌ネジ（図示省略）を備えている。この２つの雌ネジは、自身の中心軸（以下、基軸Ｌ４ともいう）が水平方向であり、かつ、パック装着部７のスライドレール４３（図２参照）に平行な方向となるように形成されている。中心軸Ｌ１の上側から平面視した場合のハウジング３における２つの連結部７１７の位置（換言すれば、雄ネジ７１７ｂが固定される雌ネジ（図示省略）の形成
位置）は、スライド型補助支持部７１１が図２８に示す位置（以下、支持位置ともいう）に固定されたときに、接地部７１３および２つの接地用延設部７１５がハウジング３の側面のうち少なくともパック装着部７の形成領域を取り囲む状態となる位置である（図３０参照）。
【０２５６】
２つの連結部７１７は、ハウジング３の中心軸Ｌ１の上側から平面視したときに、ハウジング３のうち中心軸Ｌ１よりもパック装着部７に近い領域に基軸Ｌ４が配置されるように（図３０参照）、ハウジング３における形成位置が定められている。また、２つの雄ネジ７１７ｂ（換言すれば、２つの雌ネジ）は、側面から見たときに、ハウジング３のうち第８レーザー墨出し器７０１の重心ＧＣ（図２９参照）よりも高い位置に基軸Ｌ４が配置されるように、ハウジング３における形成位置が定められている。
【０２５７】
図２９および図３１に示すように、スライド型補助支持部７１１は、連結部７１７の雄ネジ７１７ｂ（基軸Ｌ４）を基軸として長孔部７１７ａが上下方向に摺動（スライド）することで、接地部７１３および持ち手部７１４を含むスライド型補助支持部７１１の全体が上下方向に摺動できるように構成されている。スライド型補助支持部７１１は、図２９に示す位置（最下位置）から図３１に示す位置（最上位置）までの範囲を移動できるように構成されている。
【０２５８】
スライド型補助支持部７１１は、予め備えられる位置決め部（図示省略）により、摺動可能範囲のうち少なくとも支持位置で仮固定（位置決め）されるように構成されている。位置決め部は、例えば、スライド型補助支持部７１１（詳細には、長孔部７１７ａ）およびハウジング３のそれぞれが互いに接する（対向する）部位のうち、スライド型補助支持部７１１の移動範囲内における所定位置において、一方に角の丸い凸部が形成されるとともに、他方にその凸部と嵌合可能な凹部が形成される構成であってもよい。凸部と凹部とが互いに嵌合することで、ハウジング３に対するスライド型補助支持部７１１の摺動方向の移動が制限されて、スライド型補助支持部７１１を支持位置で仮固定（位置決め）できる構成であってもよい。なお、凸部は、突出寸法が一定となる固定形態であってもよいし、スプリングなどによって突出寸法が可変となる形態であってもよい。
【０２５９】
スライド型補助支持部７１１が支持位置に配置（仮固定）されたときには、接地部７１３は、パック装着部７よりも低い領域に配置されるとともに、３つの脚部３３に当接する地面ＧＮＤに対して隙間Ｇ１（図２９参照）を介して配置されるように構成される。
【０２６０】
次に、スライド型補助支持部７１１は、図３０に示すように、支持位置に配置（仮固定）されたときには、ハウジング３の中心軸Ｌ１の上側から平面視した場合において、接地部７１３のうち少なくとも一部と中心軸Ｌ１とを結ぶ仮想線分Ｌ３がパック装着部７と交差するように、接地部７１３が配置される構成である。なお、図３０では、接地部７１３の配置領域およびパック装着部７の形成領域をそれぞれ網がけ図柄で表している。また、図３０では、接地部７１３のうち部位７１３ａと中心軸Ｌ１とを結ぶ線分を仮想線分Ｌ３の一例として記載している。仮想線分Ｌ３は、少なくとも接地部７１３の一部を通る仮想線分であり、図３０に示す範囲Ｃ３において任意の位置に想定できる線分である。図３０に示すように、第８レーザー墨出し器７０１においては、仮想線分Ｌ３が必ずパック装着部７の形成領域と交差するように、スライド型補助支持部７１１が構成されている。
【０２６１】
つまり、スライド型補助支持部７１１は、摺動可能に構成されており、摺動可能範囲のうち支持位置に仮固定されると、仮想線分Ｌ３がパック装着部７と交差するように接地部７１３が配置されるとともに、接地部７１３がパック装着部７よりも低い領域において地面ＧＮＤ（仮想地面）に対して隙間Ｇ１を介して配置されるように構成されている。また、スライド型補助支持部７１１は、支持位置に配置された時に、持ち手部７１４および持
ち手用延設部７１９がレーザー光の進路（光路）を遮らない形状に構成されている。
【０２６２】
また、スライド型補助支持部７１１は、摺動可能範囲のうち最上位置に配置された場合に、持ち手部７１４がハウジング３から離れた位置（換言すれば、使用者が掴みやすい位置）に配置されるように構成されている。つまり、第８レーザー墨出し器７０１は、持ち手部７１４を使用することで運搬可能に構成されている。このとき、接地部７１３は、大型バッテリパック１０５に当接することで、大型バッテリパック１０５を支えることができる。
【０２６３】
このように構成されたスライド型補助支持部７１１は、支持位置に固定されることで、転倒を抑制する機能を接地部７１３によって発揮するとともに、摺動可能範囲の最上位置に配置されることで、持ち手部としての機能を持ち手部７１４によって発揮するように構成されている。
【０２６４】
［８−２．効果］
以上説明したように、第８実施形態の第８レーザー墨出し器７０１においては、スライド型補助支持部７１１が摺動による移動が可能な形態でハウジング３に取り付けられている。
【０２６５】
スライド型補助支持部７１１は、自身の移動可能範囲（摺動可能範囲）のうち予め定められた支持位置に仮固定（位置決め）されることで、仮想線分Ｌ３がパック装着部７と交差するように接地部７１３が配置されるとともに、接地部７１３がパック装着部７よりも低い領域において地面ＧＮＤ（仮想地面）に対して隙間Ｇ１を介して配置される構成である。
【０２６６】
このようなスライド型補助支持部７１１を備える第８レーザー墨出し器７０１は、パック装着部７に装着した大型バッテリパック１０５の重量によって重心が大型バッテリパック１０５側に偏り傾いたとしても、完全に転倒する前に、スライド型補助支持部７１１（詳細には、接地部７１３）が地面ＧＮＤに当接して第８レーザー墨出し器７０１を支持することができる。
【０２６７】
よって、第８レーザー墨出し器７０１によれば、スライド型補助支持部７１１を備えることで、重量の重い大型バッテリパック１０５を装着した場合であっても転倒を抑制できる。
【０２６８】
また、第８レーザー墨出し器７０１は、摺動可能に構成されたスライド型補助支持部７１１を備えることで、使用状況に応じて、スライド型補助支持部７１１を支持位置に固定する場合と固定しない場合とを切り替え可能に構成されている。例えば、第８レーザー墨出し器７０１の使用時には、スライド型補助支持部７１１を支持位置に固定することで、転倒を抑制できる。あるいは、第８レーザー墨出し器７０１の未使用時（運搬時）には、スライド型補助支持部７１１が最上位置に配置された状態となることで、運搬に適した状態での使用が可能となる。
【０２６９】
次に、第８レーザー墨出し器７０１においては、スライド型補助支持部７１１は、接地部７１３および持ち手部７１４を備えている。このような構成のスライド型補助支持部７１１を用いることで、補助支持部（転倒抑制のための部材）と持ち手部（使用者がつかむための部材）とを別々に備える必要が無くなり、第８レーザー墨出し器７０１を構成する部品点数の増加を抑制できる。
【０２７０】
次に、第８レーザー墨出し器７０１においては、スライド型補助支持部７１１は、摺動
により移動するとともに接地部７１３と持ち手部７１４とが異なる部位に備えられる構成である。これにより、第８レーザー墨出し器７０１においては、スライド型補助支持部７１１の移動作業（例えば、支持位置から他の位置に移動する作業など）を容易に実行できるため、転倒抑制に適した状態と運搬に適した状態との切替が容易となる。
【０２７１】
次に、第８レーザー墨出し器７０１においては、連結部７１７の雄ネジ７１７ｂ（基軸Ｌ４）は、ハウジング３のうち第８レーザー墨出し器７０１の重心ＧＣよりも高い位置に形成されている（図２９参照）。
【０２７２】
このような第８レーザー墨出し器７０１においては、使用者が持ち手部７１４をつかんでこの第８レーザー墨出し器７０１を持ち上げたときに、重心ＧＣが連結部７１７の雄ネジ７１７ｂよりも低い位置となるため、第８レーザー墨出し器７０１のうちスライド型補助支持部７１１を除いた本体部分が安定した状態となる。このため、持ち手部７１４を掴んで第８レーザー墨出し器７０１を持ち上げたときに、スライド型補助支持部７１１を除いた本体部分が回動して上下反転することを抑制でき、安定した状態で第８レーザー墨出し器７０１を持ち運ぶことができる。
【０２７３】
次に、第８レーザー墨出し器７０１においては、スライド型補助支持部７１１の接地部７１３および持ち手部７１４は、それぞれ、自身の表面が弾性材料で形成される構成である。
【０２７４】
このような構成のスライド型補助支持部７１１を備えることで、第８レーザー墨出し器７０１が傾いて接地部７１３が地面ＧＮＤに当設した際に、接地部７１３のうち弾性材料で形成された部分が滑り止め機能を発揮するため、第８レーザー墨出し器７０１がより転倒し難くなる。また、持ち手部７１４の表面が弾性材料で形成されることで、使用者が持ち手部７１４を掴んで第８レーザー墨出し器７０１を運搬する際に、持ち手部７１４が滑って第８レーザー墨出し器７０１が落下することを抑制できる。
【０２７５】
［８−３．文言の対応関係］
ここで、文言の対応関係について説明する。
第８レーザー墨出し器７０１がレーザー墨出し器の一例に相当し、スライド型補助支持部７１１が補助支持部の一例に相当し、接地部７１３が接地部の一例に相当し、持ち手部７１４が持ち手部の一例に相当し、接地用延設部７１５が延設部の一例に相当し、連結部７１７が連結部の一例に相当する。
【０２７６】
［９．他の実施形態］
以上、本発明の実施形態について説明したが、本発明は上記実施形態に限定されるものではなく、本発明の要旨を逸脱しない範囲において、様々な態様にて実施することが可能である。
【０２７７】
例えば、上記の実施形態では、外部電源接続部に接続される外部電源として、ＡＣアダプタを用いる構成について説明したが、外部電源は、ＡＣアダプタに限られることはなく、ＤＣアダプタなど他の形式の外部電源であってもよい。
【０２７８】
また、上記の実施形態では、ＡＣアダプタの出力電圧が４．５Ｖ〜５．５Ｖである構成について説明したが、アダプタの出力電圧はこのような範囲に限られることはない。例えば、汎用ではなく専用のアダプタを用意し、その出力電圧をバッテリパック電圧以下、かつ、レーザー光生成部に適した電圧以上としてもよい。この場合、図７のブロック図において、パック側スイッチ部５１ａを切替スイッチ６５の接点ａに直接接続し、外部電源側スイッチ部５１ｂを切替スイッチ６５の接点ｂに直接接続し、切替スイッチ６５の接点ｃ
と射出制御部２７との間にパック側変圧回路６１を設けた構成を採ることができる。これにより、外部電源側変圧回路６３を省略することができ、レーザー墨出し器の電気的構成を簡略化できる。
【０２７９】
また、上記の実施形態では、パック側変圧回路６１で降圧し、外部電源側変圧回路６３で昇圧する構成について説明したが、これらの代わりに昇降圧可能な変圧回路を用いてもよい。具体的には、図７のブロック図において、パック側スイッチ部５１ａを切替スイッチ６５の接点ａに直接接続し、外部電源側スイッチ部５１ｂを切替スイッチ６５の接点ｂに直接接続し、切替スイッチ６５の接点ｃと射出制御部２７との間に昇降圧可能な変圧回路を設けた構成であってもよい。この変圧回路は、入力された電圧をレーザー光生成部の駆動に適した電圧に電圧変換（降圧または昇圧）するように構成されている。
【０２８０】
また、上記の実施形態では、外部電源接続部を備える構成について説明したが、外部電源接続部を備えない構成であってもよい。
さらに、射出するレーザー光の色は、緑色に限られることはなく、赤色など他の色であってもよい。
【０２８１】
また、ハウジングは、その外観形状が上記形状に限られることはなく、例えば、円柱形状や多角柱形状などであってもよい。
また、上記の実施形態では、機械式のジンバル機構を備える構成について説明したが、電子式のジンバル機構を備える構成であってもよい。
【０２８２】
さらに、上記実施形態では、操作スイッチ５１に連動して作動するストッパによってレーザー光射出部２５が固定状態及び揺動状態のうちいずれかの状態に設定される機構を備える構成について説明したが、このような機構に加えて、操作スイッチ５１の状態に依存せずに、レーザー光射出部２５を固定状態に設定することができる操作部を備える構成であってもよい。
【０２８３】
さらに、上記実施形態では、バッテリパック５の装着時のスライド方向が図３における左方向から右方向となる構成について説明したが、バッテリパック５の装着時のスライド方向はこのような方向に限られることはなく、逆に右方向から左方向にスライドさせてバッテリパック５を装着する構成であってもよい。
【符号の説明】
【０２８４】
１…レーザー墨出し器、３…ハウジング、５…バッテリパック、７…パック装着部、９…レーザー光生成部、１１…回転部、１３…ベース部、２１…水平レーザー光通過部、２３…鉛直レーザー光通過部、２５…レーザー光射出部、２７…射出制御部、３１…板部、３３…脚部、４３…スライドレール、４５…電極端子、５１…操作スイッチ、５３…外部電源接続部、５３ａ…接続検出部、６１…パック側変圧回路、６３…外部電源側変圧回路、７１…ＡＣアダプタ、１０１…第２レーザー墨出し器、１０３…第２ハウジング、１０５…大型バッテリパック、１０７…第２パック装着部、１０９…第２レーザー光生成部、１１１…第２回転部、１１３…第２ベース部、１２１…第２水平レーザー光通過部、１２３…第２鉛直レーザー光通過部、１２５…第２レーザー光射出部、１２７…第２射出制御部、１３１…第２板部、１３３…第２脚部、１３５…信号受信部、１５１…第２操作スイッチ、１５３…第２外部電源接続部、２０１…第３レーザー墨出し器、２１１…補助支持部、３０１…第４レーザー墨出し器、３１１…第２補助支持部、４０１…第５レーザー墨出し器、４１１…第３補助支持部、５０１…第６レーザー墨出し器、５１１…固定型補助支持部、６０１…第７レーザー墨出し器、６１１…第２固定型補助支持部、７０１…第８レーザー墨出し器、７１１…スライド型補助支持部。
【図１】
0006644624.tif 000002
【図２】
0006644624.tif 000003
【図３】
0006644624.tif 000004
【図４】
0006644624.tif 000005
【図５】
0006644624.tif 000006
【図６】
0006644624.tif 000007
【図７】
0006644624.tif 000008
【図８】
0006644624.tif 000009
【図９】
0006644624.tif 000010
【図１０】
0006644624.tif 000011
【図１１】
0006644624.tif 000012
【図１２】
0006644624.tif 000013
【図１３】
0006644624.tif 000014
【図１４】
0006644624.tif 000015
【図１５】
0006644624.tif 000016
【図１６】
0006644624.tif 000017
【図１７】
0006644624.tif 000018
【図１８】
0006644624.tif 000019
【図１９】
0006644624.tif 000020
【図２０】
0006644624.tif 000021
【図２１】
0006644624.tif 000022
【図２２】
0006644624.tif 000023
【図２３】
0006644624.tif 000024
【図２４】
0006644624.tif 000025
【図２５】
0006644624.tif 000026
【図２６】
0006644624.tif 000027
【図２７】
0006644624.tif 000028
【図２８】
0006644624.tif 000029
【図２９】
0006644624.tif 000030
【図３０】
0006644624.tif 000031
【図３１】
0006644624.tif 000032